(57)【要約】  無線通信の基地局側及びユーザー装置側で用いられる装置及び方法である。無線通信の基地局側で用いられる装置は、参照信号シーケンスを生成するように配置されるシーケンス生成ユニットと、参照信号を送信するためのアンテナポートの数に応じて、アンテナポートと物理伝送リソースのリソースユニットとのマッピング関係からなる参照信号パターンを確定し、且つ当該参照信号パターンに基づいて参照信号シーケンスをリソースユニットにマッピングして伝送に用いるように配置されるリソースマッピングユニットと、を備え、参照信号パターンは、アンテナポート間の周波数領域におけるリソースユニットに対する符号分割多重化を含む。【選択図】図１
2018534802.tif 000002
【特許請求の範囲】
【請求項１】
参照信号シーケンスを生成するように配置されるシーケンス生成ユニットと、
参照信号を送信するためのアンテナポートの数に応じて、アンテナポートと物理伝送リソースのリソースユニットとのマッピング関係からなる参照信号パターンを確定し、且つ前記参照信号パターンに基づいて前記参照信号シーケンスをリソースユニットにマッピングして伝送に用いるように配置されるリソースマッピングユニットと、
を含み、
前記参照信号パターンは、アンテナポート間の周波数領域におけるリソースユニットに対する符号分割多重化を含む無線通信の基地局側で用いられる装置。
【請求項２】
前記リソースマッピングユニットは、第１のアンテナポート及び第２のアンテナポートに対して同一の直交周波数分割多重シンボルに対応する少なくとも２つの共通リソースユニットを配置し、且つ前記第１のアンテナポート及び前記第２のアンテナポートに対してそれぞれ互いに直交する直交カバーコードを配置して、アンテナポート間の周波数領域におけるリソースユニットに対する符号分割多重化を実行する請求項１に記載の装置。
【請求項３】
前記リソースマッピングユニットは、同一パリティーのポート番号を有する少なくとも２つのアンテナポートに対して配置して、周波数領域において符号分割多重化する請求項１に記載の装置。
【請求項４】
前記参照信号はチャネル状態情報参照信号であり、前記リソースマッピングユニットは、参照信号を送信するためのアンテナポートの数が８より大きい場合、アンテナポート間の周波数領域におけるリソースユニットに対する符号分割多重化を含む参照信号パターンを確定して、リソースマッピングに用いるように配置される請求項１〜３のいずれか一つに記載の装置。
【請求項５】
前記参照信号パターンは、前記アンテナポート間の時間領域におけるリソースユニットに対する符号分割多重化をさらに含む請求項１に記載の装置。
【請求項６】
前記チャネル状態情報参照信号パターンは、一つの物理リソースブロックに基づくパターンと、隣接する２つまたは複数のサブフレームに基づくパターンと、隣接する２つまたは複数の物理リソースブロックに基づくパターンのうちの少なくとも一つを含む請求項４に記載の装置。
【請求項７】
符号分割多重化の符号長は、前記チャネル状態情報参照信号パターンが基づくサブフレームの数に応じて変化する請求項６に記載の装置。
【請求項８】
アンテナポート数が１６である場合、前記チャネル状態情報参照信号パターンが基づくサブフレームの数が１である時に、前記符号分割多重化の符号長が４であり、前記チャネル状態情報参照信号パターンが基づくサブフレームの数が２である時に、前記符号分割多重化の符号長が２である請求項７に記載の装置。
【請求項９】
アンテナポート数が３２である場合、前記ＣＳＩ−ＲＳパターンは、符号長が４である符号分割多重化チャネル状態情報参照信号パターンの２つの隣接するサブフレームにおける拡張である請求項８に記載の装置。
【請求項１０】
前記リソースマッピングユニットは、アンテナポートの数が多い場合に符号長が長い符号分割多重化方式を採用して、アンテナポートの数が少ない場合の符号長が短い符号分割多重化方式と互換性がある請求項１に記載の装置。
【請求項１１】
前記リソースマッピングユニットは、第１のアンテナポートに対して第１の数の直交周波数分割多重シンボルを跨ぐ参照信号パターンを確定し、第２のアンテナポートに対して第２の数の直交周波数分割多重シンボルを跨ぐ参照信号パターンを確定して、第１及び第２のアンテナポートをそれぞれ伝送する請求項１に記載の装置。
【請求項１２】
前記無線通信が時分割複信モードを採用する場合に、特別なサブフレームＤｗＰＴＳでチャネル状態情報参照信号を送信し、前記チャネル状態情報参照信号パターンは隣接する２つの物理的なリソースブロックに基づくパターンである請求項４に記載の装置。
【請求項１３】
異なるセルのチャネル状態情報参照信号パターンにおいて、同一ポートに対応する物理リソースユニットは互いに離れている請求項４に記載の装置。
【請求項１４】
ＲＲＣシグナリングにおけるＣＳＩ−ＲＳ−Ｃｏｎｆｉｇを介してユーザー装置へチャネル状態情報参照信号の関連パラメータを通知するように配置される通知ユニットをさらに含む請求項４に記載の装置。
【請求項１５】
前記関連パラメータは、前記アンテナポートの数、チャネル状態情報参照信号と物理リソースユニットとのマッピング関係、サブフレームオフセット量、チャネル状態情報参照信号周期、チャネル状態情報参照信号送信電力のうちの少なくとも一つを含む請求項１４に記載の装置。
【請求項１６】
参照信号シーケンスを生成することと、
参照信号を送信するためのアンテナポートの数に応じて、アンテナポートと物理伝送リソースのリソースユニットとのマッピング関係からなる参照信号パターンを確定し、且つ前記参照信号パターンに基づいて前記参照信号シーケンスをリソースユニットにマッピングして伝送に用いることと、
を含み、
前記参照信号パターンは、アンテナポート間の周波数領域におけるリソースユニットに対する符号分割多重化を含む無線通信の基地局側で用いられる方法。
【請求項１７】
予め定められたアンテナポートと物理伝送リソースのリソースユニットとのマッピング関係からなる参照信号パターンが記憶された記憶ユニットと、
前記参照信号パターンと基地局側からの参照信号の関連パラメータによって、現在の参照信号に対応する物理リソースユニットを確定するように配置される確定ユニットと、
確定した物理リソースユニットにおける参照信号を測定して、測定した情報を基地局側へ報告するように配置される測定ユニットと、
を含み、
前記参照信号パターンは、アンテナポート間の周波数領域におけるリソースユニットに対する符号分割多重化を含む無線通信のユーザー装置側で用いられる装置。
【発明の詳細な説明】
【技術分野】
【０００１】
本出願は、２０１５年９月２４日に中国特許庁に提出された、出願番号が２０１５１０６１８３３４．Ｘであって、発明の名称が「無線通信の基地局側及びユーザー装置側で用いられる装置及び方法」である中国特許出願の優先権を主張し、その全ての内容は、引用により本明細書に組み込まれる。
【０００２】
本発明の実施例は、総合的に、無線通信の分野に関し、具体的には、参照信号パターンの生成に関し、より詳細には、無線通信の基地局側及びユーザー装置側で用いられる装置及び方法に関する。
【背景技術】
【０００３】
ＬＴＥシステムの物理層の基本アーキテクチャは、直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）及び多重入力多重出力（Ｍｕｌｔｉｐｌｅ  Ｉｎｐｕｔ  Ｍｕｌｔｉｐｌｅ  Ｏｕｔｐｕｔ、ＭＩＭＯ）に基づいて構築されたものである。ＯＦＤＭは、ＯＦＤＭシンボル内の複数のサブキャリア上でデータを調整するスペクトラム拡散技術であって、サブキャリアは精密な周波数で隔てられ、この間隔はサブキャリアの間の直交性を提供する。時間領域では、サイクリックプレフィックス（ＣＰ）などの保護間隔を各ＯＦＤＭシンボルに追加して、ＯＦＤＭシンボル間の干渉を防止することができる。サイクリックプレフィックスは、通常のサイクリックプレフィックスと拡張のサイクリックプレフィックスとを含む。ＭＩＭＯ、即ちマルチアンテナ技術は、データ送信のピークレートと信頼性の向上、カバレッジの拡張、干渉の抑制、システム容量の増加、システムスループットの向上に重要な役割を果たしている。スピードとスペクトル効率の要求の継続的な増加に直面して、ＭＩＭＯ技術の強化と最適化は常に、ＬＴＥシステムの進化にとって重要な方向である。以前の基地局のアンテナのアーキテクチャに限定され、従来のＭＩＭＯ伝送方式は、一般的に、水平面のみにおいて信号の空間分布特性の制御を実現でき、３Ｄチャネルにおける垂直次元の自由度を十分に活用できず、ＭＩＭＯ技術が、移動通信システムの全体的な効率と性能、及び最終的にユーザーエクスペリエンスを改善する潜在能力を深く発掘できなかった。
【０００４】
３Ｄ  ＭＩＭＯ技術は、既存のアンテナサイズを変更しない前提で、各垂直アンテナアレイを複数のアレイに分割することができ、ＭＩＭＯの別の垂直方向の空間次元を開発し、よって、ＭＩＭＯ技術をより高い発展段階にプッシュし、ＬＴＥ伝送技術の性能向上に対してより広い空間を開拓でき、セル間の干渉をさらに低下し、システムスループットとスペクトル効率を向上させることが可能である。
【発明の概要】
【発明が解決しようとする課題】
【０００５】
しかし、３Ｄ  ＭＩＭＯにおいてサポートできる参照信号を送信するためのアンテナポートの数が増加するため、従来の参照信号のパターンは適用できず、３Ｄ  ＭＩＭＯのより多いアンテナポートに適する参照信号パターンを開発する必要がある。
【０００６】
以下、本発明に関する簡単な概説を示して、本発明に関するある方面の基本的理解を提供する。この概説が本発明に関する取り尽くし的概説ではないと理解すべきである。それは、本発明の肝心又は重要部分を確定することを意図せず、本発明の範囲を限定することも意図しない。その目的は、ただ簡素化の形式で、ある概念を提供して、後述するより詳しい技術の前述とするためである。
【課題を解決するための手段】
【０００７】
本出願の一態様によれば、無線通信の基地局側で用いられる装置を提供しており、参照信号シーケンスを生成するように配置されるシーケンス生成ユニットと、参照信号を送信するためのアンテナポートの数に応じて、アンテナポートと物理伝送リソースのリソースユニットとのマッピング関係からなる参照信号パターンを確定し、当該参照信号パターンに基づいて参照信号シーケンスをリソースユニットにマッピングして伝送に用いるように配置されるリソースマッピングユニットと、を含み、参照信号パターンは、アンテナポート間の周波数領域におけるリソースユニットに対する符号分割多重化を含む。
【０００８】
本出願の別の態様によれば、無線通信のユーザー装置側で用いられる装置を提供しており、予め定められたアンテナポートと物理伝送リソースのリソースユニットとのマッピング関係からなる参照信号パターンが記憶された記憶ユニットと、当該参照信号パターンと基地局側からの参照信号の関連パラメータによって、現在の参照信号に対応する物理リソースユニットを確定するように配置される確定ユニットと、確定した物理リソースユニットにおける参照信号を測定して、測定した情報を基地局側へ報告するように配置される測定ユニットと、を含み、当該参照信号パターンは、アンテナポート間の周波数領域におけるリソースユニットに対する符号分割多重化を含む。
【０００９】
本出願の一態様によれば、無線通信システムの基地局側で用いられる方法を提供しており、参照信号シーケンスを生成し、参照信号を送信するためのアンテナポートの数に応じて、アンテナポートと物理伝送リソースのリソースユニットとのマッピング関係からなる参照信号パターンを確定し、当該参照信号パターンに基づいて参照信号シーケンスをリソースユニットにマッピングして伝送に用いることを含み、当該参照信号パターンは、アンテナポート間の周波数領域におけるリソースユニットに対する符号分割多重化を含む。
【００１０】
本出願の別の態様によれば、無線通信のユーザー装置側で用いられる方法を提供しており、予め定められたアンテナポートと物理伝送リソースのリソースユニットとのマッピング関係からなる記憶された参照信号パターンと基地局側からの参照信号の関連パラメータによって、現在の参照信号に対応する物理リソースユニットを確定し、確定した物理リソースユニットにおける参照信号を測定して、測定した情報を基地局側へ報告すること、を含み、当該参照信号パターンは、アンテナポート間の周波数領域におけるリソースユニットに対する符号分割多重化を含む。
【００１１】
本発明の他の態様によれば、上記無線通信システムにおける基地局側とユーザー装置側の方法を実現するためのコンピュータープログラムコード、コンピュータプログラム製品、及びそれに上記無線通信システムにおける基地局側とユーザー装置側の方法を実現するためのコンピュータープログラムコードが記録されたコンピューター読み取り可能媒体をさらに提供している。
【００１２】
本出願の実施例において、アンテナポート間で周波数領域においてリソースユニットに対して符号分割多重化を行う参照信号パターンを採用することによって、参照信号を送信するためのアンテナポートの数が多くなる場合にも電力ゲインが６ｄＢを超えないことを保持でき（従来のアンテナの電力増幅器を使用して実現することができる）、電力の無駄を減少する。
【００１３】
本発明の前述および他の利点は、添付の図面を参照する本発明の好ましい実施例の以下の詳細な説明からより明らかになる。
【図面の簡単な説明】
【００１４】
本発明の上記およびその他の利点および特徴をさらに説明するために、以下、本発明の具体的実施形態を添付の図面を参照してさらに詳細に説明する。添付の図面は、以下の詳細な説明と共に本明細書に組み込まれ、本明細書の一部を形成する。同じ機能及び構造を有する構成要素は同じ参照符号によって示されている。これらの図面は、本発明の典型的な例を示すだけであり、本発明の範囲を限定するものとみなされるべきではないと理解すべきである。図面において、
【００１５】
【図１】本出願の一実施例による無線通信の基地局側で用いられる装置の構成を示すブロック図である。
【図２】各ＯＦＤＭシンボルが通常のサイクリックプレフィックスを採用する際に一つの物理リソースブロック（ＰＲＢ）のリソースグリッドの例を示す図である。
【図３】（ａ）は第１のアンテナポートと第２のアンテナポートの周波数領域においてリソースユニットに対して符号分割多重化を行う例示的な例を示す図であり、（ｂ）は第１のアンテナポートと第２のアンテナポートの時間領域及び周波数領域においてリソースユニットに対して符号分割多重化を行う例示的な例を示す図である。
【図４】図３（ｂ）の具体的な多重化の状況を示す説明図である。
【図５】アンテナポート数が１６である場合、通常のサイクリックプレフィックスを採用する周波数分割複信（ＦＤＤ）フレームのＣＳＩ−ＲＳパターンの２つの方式の例を示す図である。
【図６】アンテナポート数が１６である場合、通常のサイクリックプレフィックスを採用するＦＤＤフレームのＣＳＩ−ＲＳパターンの別の２つの方式の例を示す図である。
【図７】アンテナポート数が１６である場合、通常のサイクリックプレフィックスを採用するＦＤＤフレームのＣＳＩ−ＲＳパターンの別の一方式の例を示す図である。
【図８】アンテナポート数が３２である場合、通常のサイクリックプレフィックスを採用するＦＤＤフレームのＣＳＩ−ＲＳパターンの一方式の例を示す図である。
【図９】アンテナポート数が３２である場合、通常のサイクリックプレフィックスを採用するＦＤＤフレームのＣＳＩ−ＲＳパターンの別の一方式の例を示す図である。
【図１０】アンテナポート数が１２である場合、通常のサイクリックプレフィックスを採用するＦＤＤフレームのＣＳＩ−ＲＳパターンの三つの方式の例を示す図である。
【図１１】アンテナポート数が１６である場合、拡張のサイクリックプレフィックスを採用するＦＤＤフレームのＣＳＩ−ＲＳパターンの２つの方式の例を示す図である。
【図１２】アンテナポート数が１６である場合、拡張のサイクリックプレフィックスを採用するＦＤＤフレームのＣＳＩ−ＲＳパターンの別の一方式の例を示す図である。
【図１３】アンテナポート数が１２である場合、拡張のサイクリックプレフィックスを採用するＦＤＤフレームのＣＳＩ−ＲＳパターンの２つの方式の例を示す図である。
【図１４】アンテナポート数が１６である場合、通常のサイクリックプレフィックスを採用するＴＤＤ（時分割複信）フレームのＣＳＩ−ＲＳパターンの方式の例を示す図である。
【図１５】アンテナポート数が１２である場合、通常のサイクリックプレフィックスを採用するＴＤＤフレームのＣＳＩ−ＲＳパターンの方式の例を示す図である。
【図１６】アンテナポート数が１６である場合、通常のサイクリックプレフィックスを採用するＴＤＤフレームのＣＳＩ−ＲＳパターンの別の一例を示す図である。
【図１７】アンテナポート数が１６である場合、拡張のサイクリックプレフィックスを採用するＴＤＤフレームのＣＳＩ−ＲＳパターンの２つの方式の例を示す図である。
【図１８】アンテナポート数が１２である場合、拡張のサイクリックプレフィックスを採用するＴＤＤフレームのＣＳＩ−ＲＳパターンの方式の例を示す図である。
【図１９】ＴＤＤモードに対する特別なサブフレームＤｗＰＴＳにおける通常のサイクリックプレフィックスでのＣＳＩ−ＲＳパターンの例を示す図である。
【図２０】ＴＤＤモードに対する特別なサブフレームＤｗＰＴＳにおける拡張のサイクリックプレフィックスでのＣＳＩ−ＲＳパターンの例を示す図である。
【図２１】本出願の一実施例による無線通信のユーザー装置側で用いられる装置２００の構成を示すブロック図である。
【図２２】本出願の一実施例による無線通信システムにおける基地局側の方法を示すフローチャートである。
【図２３】本開示内容の技術を適用できるｅＮＢの模式的配置の第１の例を示すブロック図である。
【図２４】本開示内容の技術を適用できるｅＮＢの模式的配置の第２の例を示すブロック図である。
【図２５】本開示内容の技術を適用できるスマートフォンの模式的配置の例を示すブロック図である。
【図２６】本開示内容の技術を適用できるカーナビゲーションの模式的配置の例を示すブロック図である。
【図２７】本発明の実施例による方法及び／又は装置及び／又はシステムを実現できる汎用コンピューターの例示的構成を示すブロック図である。
【発明を実施するための形態】
【００１６】
以下、本発明の例示的実施形態について添付図面を参照して説明する。明確化と簡潔化のために、実際の実施形態のすべての特徴が明細書に記述されているわけではない。但し、理解すべきことは、システムや業務に関連する制約を満たすなど、開発者の具体的な目標を達成するように、実際の実施形態の開発において実施形態に特定される多くの決定が行われ、これらの制約は実施形態によって変化する可能性がある。また、開発作業は非常に複雑で時間がかかるが、本開示内容の利益を受ける当業者にとってこのような開発作業は日常的なものであることも理解すべきである。
本発明は、
【００１７】
ここで、不必要な詳細によって本発明が不明瞭になることを避けるために、本発明による方式に密接に関連する装置構造及び／又は処理ステップのみが図面に示され、本発明とはあまり関係のない他の詳細は省略されている。
【００１８】
＜第１の実施例＞
図１は、本出願の一実施例による無線通信の基地局側で用いられる装置１００の構成ブロック図を示した。図１に示すように、装置１００は、参照信号シーケンスを生成するように配置されるシーケンス生成ユニット１０１と、参照信号を送信するためのアンテナポートの数に応じて、アンテナポートと物理伝送リソースのリソースユニットとのマッピング関係からなる参照信号パターンを確定し、当該参照信号パターンに基づいて参照信号シーケンスをリソースユニットにマッピングして伝送で用いるように配置されるリソースマッピングユニット１０２を含み、参照信号パターンは、アンテナポート間の周波数領域におけるリソースユニットに対する符号分割多重化を含む（即ち、直交コードにより処理し後、同一のリソースユニットにおいて同時に伝送する）。
【００１９】
ＬＴＥのダウンリンクフレームについて、各フレームを１０個の等しいサイズのサブフレームに分割して、各サブフレームは２つの連続タイムスロットを含み、これらの２つの連続タイムスロットは一つの物理リソースブロック（Ｐｈｙｓｉｃａｌ  Ｒｅｓｏｕｒｃｅ  Ｂｌｏｃｋ，ＰＲＢ）に対応して、リソースグリッドを使用してＰＲＢ（その時間長さがサブフレームの長さに等しい）の物理伝送リソースを表すことができ、ＰＲＢのリソースグリッドが複数のリソースユニットに分割されている。ＰＲＢは周波数領域において１２個の連続したサブキャリアを含み、各ＯＦＤＭシンボルが時間領域において通常のサイクリックプレフィックスを採用する時に１４個の連続したＯＦＤＭシンボルを含み、従って、ＰＲＢが１６８個のリソースユニットに分割され、各ＯＦＤＭシンボルが拡張のサイクリックプレフィックスを採用する時に、６個の連続したＯＦＤＭシンボルを含むので、ＰＲＢが１４４個のリソースユニットに分割される。図２に、一例として、各ＯＦＤＭシンボルが通常のサイクリックプレフィックスを採用する場合の１つのＰＲＢのリソースグリッドを示し、横軸が時間を表し、縦軸は周波数を表す。本出願におけるすべてのリソースグリッド図がこのように定義されているため、以下では個別に説明しない。
【００２０】
シーケンス生成ユニット１０１が参照信号シーケンスを生成した後、リソースマッピングユニット１０２はそれを適切なリソースユニットにマッピングして伝送する。ユーザー装置が参照信号を正確に受信し、参照信号間の干渉を回避するために、参照信号を送信するためのアンテナポートと物理伝送リソースのリソースユニットとの間のマッピング関係、つまり、参照信号パターンを設定する必要がある。以上のように、ＬＴＥ技術の発展に伴って、参照信号を送信するためのアンテナポートの数が例えば、既存の１、２、４及び８のアンテナポートから１２、１６、３２及び６４のアンテナポートへ拡張する等、絶えずに増加するので、アンテナポート数が拡張された参照信号に対して新たなマッピング関係を設計する必要がある。アンテナポートの数が異なる場合に、使用されるリソースユニットの数又は位置が異なるので、異なるアンテナポートの数が異なるマッピング関係に対応する。
【００２１】
本実施例において、リソースマッピングユニット１０２は、マッピングを行う前に、参照信号を送信するためのアンテナポートの数に応じて上記したマッピング関係からなる参照信号パターンを確定する。当該参照信号パターンでは、アンテナポート間は、周波数領域において、リソースユニットに対して符号分割多重化を行い、例えば、２つのアンテナポートは図２に示す１つの縦方向列における２つのリソースユニットを共通に利用する。
【００２２】
一例では、リソースマッピングユニット１０２は２つのアンテナポート、即ち、第１のアンテナポートと第２のアンテナポートに対して、同一のＯＦＤＭシンボルに対応する少なくとも２つの共通リソースユニットを配置し（即ち、図２の同じ列にある）、第１のアンテナポートと第２のアンテナポートに、それぞれ互いに直交する直交カバーコード（Ｏｒｔｈｏｇｏｎａｌ  ｃｏｖｅｒ  ｃｏｄｅ、ＯＣＣ）を配置して、アンテナポート間の周波数領域におけるリソースユニットに対する符号分割多重化を実行する。
【００２３】
図３の（ａ）は、第１のアンテナポート１と第２のアンテナポート２が周波数領域においてリソースユニットに対して符号分割多重化する例を示した。同図において、ポート１とポート２が周波数領域において隣接するリソースユニットを多重化することが示されたが、これに限定されず、リソースユニットは隣接していなくてもよい。
【００２４】
また、参照信号パターンは、アンテナポート間の時間領域におけるリソースユニットに対する符号分割多重化を含んでもよい。図３の（ｂ）に示すように、アンテナポート１５、１６、１９、及び２０が４つの「田」形状のリソースユニットを共通に利用する例が示され、具体的な多重化の状況は図４に示すように、時間領域の符号分割多重化と周波数領域の符号分割多重化の両方を同時に利用する。
【００２５】
一例では、リソースマッピングユニット１０２は同一のパリティーのポート番号を有する少なくても２つのアンテナポートを、周波数領域において符号分割多重化するように配置する。例えば、図３の（ｂ）の例では、両方とも奇数であるポート１５と１９が周波数領域において符号分割多重化して、両方とも偶数であるポート１６と２０が周波数領域において符号分割多重化する。同時に、奇数ポート１５と偶数ポート１６が時間領域において符号分割多重化し、奇数ポート１９と偶数ポート２０が時間領域において符号分割多重化し、即ち、図３の（ｂ）の例において、周波数領域符号分割多重化と時間領域符号分割多重化の混合が使用される。勿論、周波数領域における符号分割多重化又は時間領域における符号分割多重化を行うアンテナポート数は２つ以上、例えば４つなどであってもよい。別の例では、リソースマッピングユニット１０２は隣接する奇数と偶数ポート番号のうち少なくとも一つのアンテナポートを、周波数領域において符号分割多重化するように配置する。依然として、図３の（ｂ）を例として、奇数ポート１５と偶数ポート１６が一つのアンテナポート対を形成し、奇数ポート１９と偶数ポート２０が一つのアンテナポート対を形成し、符号分割多重化の長さが２である時に、例えば各アンテナポート対におけるアンテナポートに対して時間領域における符号分割多重化を行い、符号分割多重化の長さが４である時に、また２つのアンテナポート対に対して周波数領域における符号分割多重化を行う。
【００２６】
また、リソースマッピングユニット１０２は、アンテナポートの数が少ない場合の符号長が短い符号分割多重化方式と互換性があるように、アンテナポートの数が多い場合に符号長が長い符号分割多重化方式を採用するように配置されてもよい。例えば、アンテナポート数が２、４、８である時に、符号長さが２である符号分割多重化を採用することができ、アンテナポート数が１２、１６、３２、６４等である時に、符号長さが４以上の符号分割多重化を採用することができ、図３の（ｂ）に関連する説明はこのような互換性の一例を示しおり、具体的には以下に示す参照信号パターンの例に反映される。
【００２７】
また、リソースマッピングユニット１０２は、さらに、第１のアンテナポートに対して、第１の数、例えば２つのＯＦＤＭシンボルを跨ぐ参照信号パターンを確定し、第２のアンテナポートに対して、第２の数、例えば４つのＯＦＤＭシンボルを跨ぐ参照信号パターンを確定して、第１と第２のアンテナポートをそれぞれ伝送できる。こうすると、リソースマッピングの柔軟性を向上させて、アイドルリソースユニットを十分に利用して参照信号を伝送できる。
【００２８】
参照信号パターンを設計する際に、電力ゲインが６ｄＢを超えないことで、既存の電力増幅器を使用することができる、電力の無駄を最小限に抑える、後方互換性を確保する、衝突を避けるように他の参照信号が既に占用したリソースユニットの占用をできるだけ回避する、多重化係数ができるだけ大きいという原則の少なくとも１つに従うことができる。なお、一セットのＣＳＩ−ＲＳ配置では、同一のＯＦＤＭシンボルに分布されたｎ＋１個のアンテナポートに対して、その中の１つが送信中である場合に他のｎ個のアンテナポートが沈黙し、各沈黙したアンテナポートの送信電力がこの送信中であるアンテナポートに重畳されて、完全な電力利用を実現し、同時に、この送信中であるアンテナポートは、ｎ＊２ｄＢの電力ゲインを得る。しかしながら、アンテナポート数の増加に伴って、同一のＯＦＤＭシンボルに分布されるアンテナポートの数も同様に増加するので、如何にして既存のアンテナ電力増幅器の使用を可能にするように電力ゲインを６ｄＢ以下にしつつ完全な電力利用を実現するかは、研究価値のある課題となっている。
【００２９】
以下、チャネル状態情報参照信号（ＣＳＩ−ＲＳ）を例として、本実施例の参照信号パターンの設計について説明する。一例では、リソースマッピングユニット１０２は、参照信号を送信するためのアンテナポートの数が８より大きい場合に、アンテナポート間の周波数領域におけるリソースユニットに対する多重化を含む参照信号パターンを確定してリソースマッピングに用いるように配置されてもよい。
【００３０】
図５は、アンテナポート数が１６である場合に、通常のサイクリックプレフィックスを採用するＦＤＤフレームのＣＳＩ−ＲＳパターンの２つの方式の例を示した。この例において、ＣＳＩ−ＲＳに使用されるアンテナポートが０〜１５であるが、これが一例に過ぎず、使用される実際のポート番号を表するものではなく、実際には他のいずれの番号のアンテナポートであってもよい。図でグレーで塗りつぶされるリソースユニットと黒ドットで塗りつぶされるリソースユニットはそれぞれ、選択可能なＣＳＩ−ＲＳ配置を表し、例えば、１つのセルに使用されることができる。図５の各方式では、このような配置を２セット示したので、その多重化係数は２であり、８ポートの場合に多重化係数が５であるのに対して、多重化係数が小さくなる。
【００３１】
なお、符号分割多重化ポートグループは：ポート｛０，１，８，９｝、ポート｛４，５，１２，１３｝、ポート｛２，３，１０，１１｝及びポート｛６，７，１４，１５｝であり、長さが４である符号分割多重化をそれぞれ使用し、例えば、ポート０、１、８、９のそれぞれは、直交する４個の長さが４であるＯＣＣコードが割り当てられ、４つのリソースユニットを共有する。なお、簡潔化のために、図５及び以降の図面において、発明者は、図４が図３の（ｂ）に対応するように、各ポートグループにおける具体的なリソース多重化状況を描かず、当業者は、本発明の趣旨及び対応する文字の説明によって具体的な多重化のグリッド図を理解し復元することができる。方式一のグレー塗りつぶしで表される配置０において、時間領域の符号分割多重化のみが使用され、黒ドットで表される配置１において、周波数領域及び時間領域の符号分割多重化の両方が使用され、また、図から分かるように、アンテナポート間の時間領域多重化及び周波数領域多重化におけるリソースユニットは隣接するものではない。具体的には、配置０に係るリソースユニットは、４つのＯＦＤＭシンボルに分布され、各ポートグループ内に含まれた４つのポートは、横方向の時間領域のみにおいて符号分割多重化を行うことができ、各ＯＦＤＭシンボルにおいて４つのリソースユニットを有して４つのポートのＣＳＩ−ＲＳに使用されるので、その中の１つのポートにおいてＣＳＩ−ＲＳを伝送する時の電力ゲインが６ｄＢであり、配置１に係るリソースユニットは２つのＯＦＤＭシンボルのみに分布され、各ＯＦＤＭシンボルにおいて、８つのアンテナポート（例えばポート０、４、８、１２、２、６、１０、１４が同一のＯＦＤＭシンボルに位置する）を有し、依然として時間領域符号分割多重化のみを使用すれば、電力ゲインが６ｄＢを超えないことを満たしつつ、完全的な電力の利用を実現することができない。本発明の例示的な方式では、各ポートグループに含まれる４つのポートは周波数領域及び時間領域において符号分割多重化を行い、例えばポート０、１、８、９が縦方向の周波数領域と横方向の時間領域に分布される４つのリソースユニットを共通に占めることにより、ポート０と８が送信している時に他の６つのポートが沈黙し、６＊２ｄＢ＝１２ｄＢの電力ゲインはポート０と８の間で均等に分けられ、各ポート電力ゲインが６ｄＢであること、及び完全的な電力の利用が実現される。方式二も類似するが、異なるリソースユニットを占めている。
【００３２】
図５に示すＣＳＩ−ＲＳ配置は、新しいリソースユニットを追加せず、既存のＣＳＩ−ＲＳに使用されるリソースユニットを利用して新たなポートマッピングを行う。図５は、アンテナポート番号の白色で塗りつぶされたセルで表されるのは元の８ポートでの１組のＣＳＩ−ＲＳ配置に使用されるリソースユニットであることを表し、１６ポートの場合には、これらのリソースユニットは使用されない。図５の方式では、ＣＳＩ−ＲＳの密度は、１つのＰＲＢに１つのポートに１つのリソースユニット（１ＲＥ／ｐｏｒｔ／ＰＲＢ）を依然として維持し、つまり、各セットのＣＳＩ−ＲＳ配置は２つのＰＲＢを跨がない。
【００３３】
ＣＳＩ−ＲＳの送信過程では、参照信号シーケンス
【数１】
2018534802.tif 000003
は一定のマッピング関係によって複素数値シンボル
【数２】
2018534802.tif 000004
にマッピングし、
【数３】
2018534802.tif 000005
は次の式によって定義される。
【００３４】
【数４】
2018534802.tif 000006
【００３５】
なお、ｎｓは無線フレーム内におけるタイムスロット番号であり、ｌはタイムスロット内におけるＯＦＤＭシンボル番号であり、ｃ（・）は擬似ランダムシーケンスジェネレータが生成した擬似ランダムシーケンスであり、
【数５】
2018534802.tif 000007
はシステムの最大のダウンリンク帯域幅を表す。
【００３６】
参照信号シーケンスの複素数値シンボルへのマッピングは次の式に従って行い、複素数値シンボルはアンテナポートでの参考シンボルとする（この式は様々な場合のマッピングに適用でき、以下では重複しない）。
【００３７】
【数６】
2018534802.tif 000008
【００３８】
なお、ｐはアンテナポート番号を表し、図５における方式一について、式（２）のパラメータは以下のように示す。
【００３９】
【数７】
2018534802.tif 000009
2018534802.tif 000010
【００４０】
なお、
【数８】
2018534802.tif 000011
はダウンリンクに割り当てられるリソースブロックの数を表し、セルのダウンリンク帯域幅によって决定される。ＣＳＩ−ＲＳ配置０はグレーで塗りつぶされたリソースユニットに対応するＣＳＩ−ＲＳ配置であり、ＣＳＩ−ＲＳ配置１は黒ドットで塗りつぶされたリソースユニットに対応するＣＳＩ−ＲＳ配置である。シーケンスｗ＝ｗｐ（ｉ）の値は次の表１によって得ることができる。ここで使用されるアンテナポートＰの番号は実際のアンテナポート番号である（１５−３０は図５における０−１５に対応し、以下の各例においても同様である）。
【００４１】
【表１】
2018534802.tif 000012
【００４２】
ＣＳＩ−ＲＳの配置と（ｋ’、ｌ’）とのマッピング関係は次の表２によって得ることができる。
【００４３】
【表２】
2018534802.tif 000013
【００４４】
図５における方式二について、式（２）のパラメータは以下のように示す。
【００４５】
【数９】
2018534802.tif 000014
【００４６】
なお、ＣＳＩ−ＲＳ配置０はグレーで塗りつぶされたリソースユニットに対応するＣＳＩ−ＲＳ配置であり、ＣＳＩ−ＲＳ配置１は黒ドットで塗りつぶされたリソースユニットに対応するＣＳＩ−ＲＳ配置である。シーケンスｗ＝ｗｐ（ｉ）の値は次の表３によって得ることができる。
【００４７】
【表３】
2018534802.tif 000015
【００４８】
ＣＳＩ−ＲＳの配置と（ｋ’、ｌ’）とのマッピング関係は次の表４によって得ることができる。
【００４９】
【表４】
2018534802.tif 000016
【００５０】
但し、ＣＳＩ−ＲＳ配置はこれに限定されず、他の方式を採用できる。例えば、ＣＳＩ−ＲＳパターンは、一つのＰＲＢに基づくパターン、隣接する二つ以上のサブフレームに基づくパターン、及び隣接する二つ以上のＰＲＢに基づくパターンのうち少なくとも一つを含んでもよい。
【００５１】
図６は、アンテナポート数が１６である場合には、ＰＲＢにおけるＣＳＩ−ＲＳに用いられるリソースユニットを増加することによって得られる通常のサイクリックプレフィックスを採用するＦＤＤフレームのＣＳＩ−ＲＳパターンの２つの方式の例を示した。これらの２つの方式では、グレー塗りつぶし、白色塗りつぶし、黒ドット塗りつぶしで、一組のＣＳＩ−ＲＳ配置をそれぞれ表し、各方式には、三組の配置があるので、多重化係数がいずれも３である。第３及び第４つのＯＦＤＭシンボルにおける８つのリソースユニットが増加されてＣＳＩ−ＲＳ送信に用いられる。方式一では、それぞれ多重化長さが４の時間領域符号分割多重化を採用し、方式二では、白色塗りつぶしのＣＳＩ−ＲＳ配置は図５における配置１と類似の、混合の長さが２の時間領域符号分割多重化と長さが２の周波数領域符号分割多重化を採用し、グレー塗りつぶしと黒ドット塗りつぶしのＣＳＩ−ＲＳ配置は多重化長さが４の時間領域符号分割多重化を採用した。図５の方式と同様に、類似的に式（２）によりＣＳＩ−ＲＳとリソースユニットとのマッピング関係を表現してもよく、ここでは詳述しない。
【００５２】
図７は、アンテナポート数が１６である場合に、隣接する二つのサブフレームに基づいて設計した通常のサイクリックプレフィックスを採用するＦＤＤフレームのＣＳＩ−ＲＳパターンの方式の例を示し、空白塗りつぶし、グレー塗りつぶし、黒ドット塗りつぶし、水平線塗りつぶし、及び斜線塗りつぶしで、５組のＣＳＩ−ＲＳ配置をそれぞれ示し、つまり、多重化係数が５である。図７におけるＣＳＩ−ＲＳパターンは２つの異なるサブフレームに位置する８ポートＣＳＩ−ＲＳパターンからなり、ＣＳＩ−ＲＳポート０−７はサブフレームｍに位置し、ＣＳＩ−ＲＳポート８−１５はサブフレームｍ＋１に位置する。このようなＣＳＩ−ＲＳパターン設計は他の参照信号及びＰＤＣＣＨにおける制御信号との衝突を十分に回避することができるが、そのＣＳＩ−ＲＳ密度は０．５  ＲＥ／ｐｏｒｔ／ＰＲＢに低下される。ＣＳＩ−ＲＳの多重化方式には、依然としてＲＥｌ−１０の奇数ポートと偶数ポートの長さが２の符号分割多重化を使用する。
【００５３】
従って、符号分割多重化の符号長さはＣＳＩ−ＲＳパターンが基づくサブフレームの数によって変更する。アンテナポートの数が１６である場合には、ＣＳＩ−ＲＳパターンが基づくサブフレームの数が１である時に、符号分割多重化の符号長さが４であり、ＣＳＩ−ＲＳパターンが基づくサブフレームの数が２である時に、符号分割多重化の符号長さが２である。
【００５４】
例えば３２などのより多くのポート数の場合には、類似的に、２つの隣接するサブフレームに基づく設計方式を採用することができ、例えば、ＣＳＩ−ＲＳパターンは符号長さが４の符号分割多重化ＣＳＩ−ＲＳパターンの２つの隣接するサブフレームにおける拡張である。例として、図６に示す２つの方式に基づいて、２つの隣接するサブフレームにおける拡張を行ってもよく、図８と９に示すように、ＣＳＩ−ＲＳポート０−１５はサブフレームｍに位置し、ＣＳＩ−ＲＳポート１６−３１はサブフレームｍ＋１に位置する。もちろん、図５の方式に基づいて拡張してもよい。より多くのポートについて、相応的に、より多くの隣接するサブフレームにおいて拡張を行ってもよい。
【００５５】
また、ＣＳＩ−ＲＳパターンの設計の際に、異なるセルにあるＣＳＩ−ＲＳパターンにおいて、同一のポートに対応する物理リソースユニットが互いに離れるようにしてもよい。こうすると、セル間の参照信号干渉をさらに低下することができる。
【００５６】
また、１２個のアンテナポートを使用してＣＳＩ−ＲＳ送信を行ってもよい。図１０は、アンテナポートが１２である場合に、通常のサイクリックプレフィックスを採用するＣＳＩ−ＲＳパターンの３つの方式の例を示した。これら３つの方式では、ＣＳＩ−ＲＳパターンは、１つのＰＲＢに基づき、既存の４０個のＣＳＩ−ＲＳリソースユニットのうち３６個のリソースユニットを利用し、多重化係数が３であるＣＳＩ−ＲＳ配置（グレー塗りつぶし、黒ドット塗りつぶし、及び斜線塗りつぶしで表される）が得られる。多重化方式では、奇数ポートと偶数ポートはＲｅｌ１０の長さが２である時間領域における符号分割多重化を採用する。このように、ポートアンテナの数が１２である時に、３つの４ポートＣＳＩ−ＲＳ配置又は１つの８ポートＣＳＩ−ＲＳ配置と１つの４ポートＣＳＩ−ＲＳ配置を合併することによってＣＳＩ−ＲＳパターンを得ることができる。
【００５７】
方式一について、参照信号シーケンスを複素数値シンボルにマッピングするマッピング式（２）のパラメータは以下のように示す。
【００５８】
【数１０】
2018534802.tif 000017
【００５９】
なお、ＣＳＩ−ＲＳ配置０は黒ドットで塗りつぶされたリソースユニットに対応するＣＳＩ−ＲＳ配置であり、ＣＳＩ−ＲＳ配置１はグレーで塗りつぶされたリソースユニットに対応するＣＳＩ−ＲＳ配置であり、ＣＳＩ−ＲＳ配置２は斜線で塗りつぶされたリソースユニットに対応するＣＳＩ−ＲＳ配置である。ＣＳＩ−ＲＳの配置と（ｋ’、ｌ’）とのマッピング関係は次の表５によって得ることができる。
【００６０】
【表５】
2018534802.tif 000018
【００６１】
方式二について、参照信号シーケンスが複素数値シンボルにマッピングされるマッピング式（２）のパラメータは以下のように示す。
【００６２】
【数１１】
2018534802.tif 000019
【００６３】
なお、ＣＳＩ−ＲＳ配置０はグレーで塗りつぶされたリソースユニットに対応するＣＳＩ−ＲＳ配置であり、ＣＳＩ−ＲＳ配置１は黒ドットで塗りつぶされたリソースユニットに対応するＣＳＩ−ＲＳ配置であり、ＣＳＩ−ＲＳ配置２は斜線で塗りつぶされたリソースユニットに対応するＣＳＩ−ＲＳ配置である。ＣＳＩ−ＲＳの配置と（ｋ’、ｌ’）とのマッピング関係は次の表６によって得ることができる。
【００６４】
【表６】
2018534802.tif 000020
【００６５】
方式三について、参照信号シーケンスが複素数値シンボルにマッピングされるマッピング式（２）のパラメータは以下のように示す。
【００６６】
【数１２】
2018534802.tif 000021
【００６７】
なお、ＣＳＩ−ＲＳ配置０は黒ドットで塗りつぶされたリソースユニットに対応するＣＳＩ−ＲＳ配置であり、ＣＳＩ−ＲＳ配置１は斜線で塗りつぶされたリソースユニットに対応するＣＳＩ−ＲＳ配置であり、ＣＳＩ−ＲＳ配置２はグレーで塗りつぶされたリソースユニットに対応するＣＳＩ−ＲＳ配置である。ＣＳＩ−ＲＳの配置と（ｋ’、ｌ’）とのマッピング関係は次の表７によって得ることができる。
【００６８】
【表７】
2018534802.tif 000022
【００６９】
以上、通常のサイクリックプレフィックスを採用するＦＤＤフレームのＣＳＩ−ＲＳパターンの例を示した。以下、拡張のサイクリックプレフィックスを採用するＦＤＤフレームのＣＳＩ−ＲＳパターンの例を示す。
【００７０】
図１１は、アンテナポート数が１６である場合に、拡張のサイクリックプレフィックスを採用するＦＤＤフレームのＣＳＩ−ＲＳパターンの２つの方式の例を示した。図中において、グレー塗りつぶしのリソースユニットと黒ドット塗りつぶしのリソースユニットは選択可能なＣＳＩ−ＲＳ配置をそれぞれ表し、これら２つの方式の多重化係数がともに２である。上記と同様に、符号分割多重化ポートグループは、ポート｛０，１，８，９｝、ポート｛４，５，１２，１３｝、ポート｛２，３，１０，１１｝、ポート｛６，７，１４，１５｝である。これら２つの方式では、混合の長さが２の周波数領域と時間領域における符号分割多重化が採用される。図１１の方式では、８ポートの場合と比べると、ＣＳＩ−ＲＳ送信に用いられるリソースユニットが追加されていない。
【００７１】
図１２は、アンテナポート数が１６である場合に、拡張のサイクリックプレフィックスを採用するＦＤＤフレームのＣＳＩ−ＲＳパターンの他の方式の例を示した。この方式では、第７及び第８のＯＦＤＭシンボルにおける合計１６個のＣＳＩ−ＲＳ送信用のリソースユニットが追加される。ポートグループの配置は図１１と同様であり、この方式には、三組のＣＳＩ−ＲＳ配置（グレー塗りつぶし、黒ドット塗りつぶし、及び斜線塗りつぶしでそれぞれ表される）があり、多重化係数が３である。但し、この方式では、長さが４の時間領域における符号分割多重化が採用される。
【００７２】
また、類似して、隣接する２つのサブフレームに基づくＣＳＩ−ＲＳパターンを採用してもよく、各サブフレームのＣＳＩ−ＲＳパターンが８ポートのＣＳＩ−ＲＳパターンに対応し、例えば、ポート０−７をサブフレームｍに配置し、ポート８−１５をサブフレームｍ＋１に配置する。例えば３２などのより多くのアンテナポート数に対して、例えば図１１又は図１２のパターンに基づいて隣接するサブフレームにおいて拡張を行うことができ、ここで詳述しない。
【００７３】
図１３は、アンテナポート数が１２である場合に、拡張のサイクリックプレフィックを採用するＦＤＤフレームのＣＳＩ−ＲＳパターンの２つの方式の例を示した。図１３の方式では、ＣＳＩ−ＲＳパターンは１つのＰＲＢに基づく、多重化係数が２のＣＳＩ−ＲＳ配置である（グレー塗りつぶしと黒ドット塗りつぶしでそれぞれ表される）。多重化方式では、通常のサイクリックプレフィックスの場合と類似し、奇数ポートと偶数ポートは長さが２の時間領域の符号分割多重化を採用する。また、３つの４ポートＣＳＩ−ＲＳ配置又は１つの８ポートＣＳＩ−ＲＳ配置と１つの４ポートＣＳＩ−ＲＳ配置を合併することによってＣＳＩ−ＲＳパターンを得ることができる。
【００７４】
図１１と図１３の方式一について、参照信号シーケンスが複素数値シンボルにマッピングされるマッピング式（２）のパラメータは以下のように示す。
【００７５】
【数１３】
2018534802.tif 000023
【００７６】
なお、アンテナポート数が１６である時に、ＣＳＩ−ＲＳ配置０はグレーで塗りつぶされたリソースユニットに対応するＣＳＩ−ＲＳ配置であり、ＣＳＩ−ＲＳ配置１は黒ドットで塗りつぶされたリソースユニットに対応するＣＳＩ−ＲＳ配置である。シーケンスｗ＝ｗｐ（ｉ）の値は次の表８によって得ることができる。
【００７７】
【表８】
2018534802.tif 000024
【００７８】
アンテナポートが１２である時に、ＣＳＩ−ＲＳ配置０は黒ドットで塗りつぶされたリソースユニットに対応するＣＳＩ−ＲＳ配置であり、ＣＳＩ−ＲＳ配置１はグレーで塗りつぶされたリソースユニットに対応するＣＳＩ−ＲＳ配置であり、シーケンス
【数１４】
2018534802.tif 000025
は以下のように示すことができる。
【００７９】
【数１５】
2018534802.tif 000026
【００８０】
ＣＳＩ−ＲＳの配置と（ｋ’、ｌ’）とのマッピング関係は次の表９によって得ることができる。
【００８１】
【表９】
2018534802.tif 000027
【００８２】
図１１と図１３の方式二について、参照信号シーケンスが複素数値シンボルにマッピングされるマッピング式（２）のパラメータは以下のように示す。
【００８３】
【数１６】
2018534802.tif 000028
【００８４】
なお、アンテナポートの数が１６である時に、ＣＳＩ−ＲＳ配置０はグレーで塗りつぶされたリソースユニットに対応するＣＳＩ−ＲＳ配置であり、ＣＳＩ−ＲＳ配置１は黒ドットで塗りつぶされたリソースユニットに対応するＣＳＩ−ＲＳ配置である。シーケンス
【数１７】
2018534802.tif 000029
は次の表１０によって得ることができる。
【００８５】
【表１０】
2018534802.tif 000030
【００８６】
アンテナポート数が１２である時に、ＣＳＩ−ＲＳ配置０はグレーで塗りつぶされたリソースユニットに対応するＣＳＩ−ＲＳ配置であり、ＣＳＩ−ＲＳ配置１は黒ドットで塗りつぶされたリソースユニットに対応するＣＳＩ−ＲＳ配置であり、シーケンス
【数１８】
2018534802.tif 000031
は次のように表される。
【００８７】
【数１９】
2018534802.tif 000032
【００８８】
ＣＳＩ−ＲＳの配置と（ｋ’、ｌ’）とのマッピング関係は次の表１１によって得ることができる。
【００８９】
【表１１】
2018534802.tif 000033
【００９０】
以上、ＦＤＤモードで異なる数のアンテナポートを使用してＣＳＩ−ＲＳ送信に用いるＣＳＩ−ＲＳパターンの例を示したが、以下、類似の方式でＴＤＤモードで異なるアンテナポートの数に対するＣＳＩ−ＲＳパターンの例を示す。
【００９１】
図１４は、アンテナポート数が１６である場合には、通常のサイクリックプレフィックスを採用するＴＤＤフレームのＣＳＩ−ＲＳパターンの方式の例を示した。この方式では、既存のＣＳＩ−ＲＳパターンと比べると、新しいリソースユニットが追加されず、通常のサイクリックプレフィックスを採用するＴＤＤフレームにおけるＲ１０ＣＳＩ−ＲＳリソースユニットが２４個のみであるため、１つのＰＲＢのみで１６ポートのＣＳＩ−ＲＳが配置される場合に、１つの配置（グレー塗りつぶしで表される）のみがあり、その多重化係数が１である。符号分割多重化ポートグループは、ポート｛０，１，４，５｝、ポート｛８，９，１２，１３｝、ポート｛２，３，６，７｝、及びポート｛１０，１１，１４，１５｝である。当該ＣＳＩ−ＲＳ配置において、混合の周波数領域と時間領域における符号分割多重化が使用される。
【００９２】
図１５は、アンテナポート数が１２である場合に、通常のサイクリックプレフィックスを採用するＴＤＤフレームのＣＳＩ−ＲＳパターンの方式の例を示した。この方式では、グレー塗りつぶしと黒ドット塗りつぶしでそれぞれ表される２つのＣＳＩ−ＲＳ配置があるので、多重化係数が２である。多重化方式では、奇数ポートと偶数ポートは長さが２の時間領域における符号分割多重化を採用する。また、３つの４ポートＣＳＩ−ＲＳ配置又は１つの８ポートＣＳＩ−ＲＳ配置と１つの４ポートＣＳＩ−ＲＳ配置を合併することによってＣＳＩ−ＲＳパターンを得ることができる。
【００９３】
図１４と図１５の方式について、参照信号シーケンスが複素数値シンボルにマッピングされるマッピング式（２）のパラメータは以下のように示す。
【００９４】
【数２０】
2018534802.tif 000034
【００９５】
なお、アンテナポート数が１６である時に、ＣＳＩ−ＲＳの配置はＣＳＩ−ＲＳ配置０とする。シーケンスｗ＝ｗｐ（ｉ）の値は次の表１２によって得ることができる。
【００９６】
【表１２】
2018534802.tif 000035
【００９７】
アンテナポート数が１２である時に、ＣＳＩ−ＲＳ配置０はグレーで塗りつぶされたリソースユニットに対応するＣＳＩ−ＲＳ配置であり、ＣＳＩ−ＲＳ配置１は黒ドットで塗りつぶされたリソースユニットに対応するＣＳＩ−ＲＳ配置である。シーケンス
【数２１】
2018534802.tif 000036
は以下のように表される。
【００９８】
【数２２】
2018534802.tif 000037
【００９９】
ＣＳＩ−ＲＳの配置と（ｋ’、ｌ’）とのマッピング関係が次の表１３によって得ることができる。
【０１００】
【表１３】
2018534802.tif 000038
【０１０１】
また、隣接する２つのサブフレームに、ＣＳＩ−ＲＳパターンを配置してもよく、図１６は、ポート数が１６である場合に、隣接する２つのサブフレームに基づく通常ＣＰを採用するＴＤＤフレームのＣＳＩ−ＲＳパターンを示した。当該パターンは、２つの異なるサブフレームに位置する８ポートＣＳＩ−ＲＳパターンからなり、ポート０−７はサブフレームｍに位置し、ポート８−１５はサブフレームｍ＋１に位置する。３セットのＣＳＩ−ＲＳ配置（それぞれ、白色塗りつぶし、グレー塗りつぶしと黒ドット塗りつぶしで表される）があり、多重化係数が３であり、ＣＳＩ−ＲＳ密度は０．５／ＲＥ／ｐｏｒｔ／ＰＲＢである。多重化方式は、混合の長さが２の時間領域符号分割多重化と長さが２の周波数領域符号分割多重化が採用されている。
【０１０２】
３２ポートの場合に、１６ポートに基づくＣＳＩ−ＲＳパターン、例えば図１４に示すＣＳＩ−ＲＳパターンを使用して、二つの隣接するサブフレームにおいて拡張することでＣＳＩ−ＲＳパターンを得ることができる。また、類似の拡張によって、より多いアンテナポート、例えば６４ポートのＣＳＩ−ＲＳパターンを得ることができる。
【０１０３】
図１７は、アンテナポートの数が１６である場合に、拡張のサイクリックプレフィックスを採用するＴＤＤフレームにおけるＣＳＩ−ＲＳパターンの二つの方式の例を示した。方式一では、符号分割多重化ポートグループは、ポート｛０，１，８，９｝、ポート｛４，５，１２，１３｝、ポート｛２，３，１０，１１｝、及びポート｛６，７，１４，１５｝である。この方式では、既存のＣＳＩ−ＲＳパターンと比べると、新しいリソースユニットが追加されず、一組の配置（グレー塗りつぶしで表される）のみがあり、その多重化係数が１である。このＣＳＩ−ＲＳ配置において、混合の周波数領域と時間領域における符号分割多重化が使用される。
【０１０４】
方式二では、第５、第６、第１０、及び第１１のＯＦＤＭシンボルで、合計２４個のＣＳＩ−ＲＳ送信に使用されるリソースユニットが追加されている。この方式では、白色塗りつぶし、グレー塗りつぶし、及び斜線塗りつぶしでそれぞれ表される３組のＣＳＩ−ＲＳ配置があるので、その多重化係数が３である。符号分割多重化ポートグループは方式一と同様に、混合の周波数領域符号分割多重化と時間領域符号分割多重化をそれぞれ使用し、つまり、４つのポートはそれらに対応する４つのリソースユニットを共有する。各ＯＦＤＭシンボルには、ＣＳＩ−ＲＳに使用される４つのＲＥがあるので、そのＣＳＩ−ＲＳ電力ゲインが６ｄＢである。
【０１０５】
図１７における方式一について、参照信号シーケンスが複素数値シンボルにマッピングされるマッピング式（２）のパラメータは以下のように示す。
【０１０６】
【数２３】
2018534802.tif 000039
【０１０７】
なお、ＣＳＩ−ＲＳの配置がＣＳＩ−ＲＳ配置０とする。シーケンスｗｐ（ｉ）の値は次の表１４によって得ることができる。
【０１０８】
【表１４】
2018534802.tif 000040
【０１０９】
ＣＳＩ−ＲＳの配置と（ｋ’、ｌ’）とのマッピング関係は次の表１５によって得ることができる。
【０１１０】
【表１５】
2018534802.tif 000041
【０１１１】
また、アンテナポートが１６である時に、ＦＤＤフレームの場合と類似し、隣接する２つのサブフレームにおいて８ポートＣＳＩ−ＲＳパターンを拡張することによってＣＳＩ−ＲＳパターンを得ることもでき、例えば、ポート０−７がサブフレームｍに位置し、ポート８−１５がサブフレームｍ＋１に位置する。さらに、アンテナポートが３２である時に、例えば、図１７に示す１つの１６ポートＣＳＩ−ＲＳパターンに基づいて、２つの隣接するサブフレームにおいて拡張することによってそのＣＳＩ−ＲＳパターンを得ることができ、例えばポート０−１５がサブフレームｍに位置し、ポート１６−３１がサブフレームｍ＋１に位置する。
【０１１２】
図１８に、アンテナポート数が１２である場合に、拡張のサイクリックプレフィックスを採用するＴＤＤフレームのＣＳＩ−ＲＳパターンの方式の例を示した。この方式には、それぞれグレー塗りつぶしと黒ドット塗りつぶしで表される２組の配置があるので、多重化係数が２である。多重化方式では、奇数ポートと偶数ポートは長さが２の時間領域における符号分割多重化を採用する。また、３つの４ポートＣＳＩ−ＲＳ配置又は１つの８ポートＣＳＩ−ＲＳ配置と１つの４ポートＣＳＩ−ＲＳ配置を合併することによってＣＳＩ−ＲＳパターンを得ることができる。
【０１１３】
図１８における方式について、参照信号シーケンスが複素数値シンボルにマッピングされるマッピング式（２）のパラメータは以下のように示す。
【０１１４】
【数２４】
2018534802.tif 000042
【０１１５】
なお、ＣＳＩ−ＲＳ配置０はグレーで塗りつぶされたリソースユニットに対応するＣＳＩ−ＲＳ配置であり、ＣＳＩ−ＲＳ配置１は黒ドットで塗りつぶされたリソースユニットに対応するＣＳＩ−ＲＳ配置である。ＣＳＩ−ＲＳの配置と（ｋ’、ｌ’）とのマッピング関係は次の表１６によって得ることができる。
【０１１６】
【表１６】
2018534802.tif 000043
【０１１７】
また、無線通信がＴＤＤモードを使用する場合に、特別なサブフレームＤｗＰＴＳにおいてＣＳＩ−ＲＳを送信することができ、ＣＳＩ−ＲＳパターンが隣接する２つのＰＲＢに基づくパターンである。図１９に、ＴＤＤモードに対する特別なサブフレームＤｗＰＴＳにおける通常のサイクリックプレフィックスでのＣＳＩ−ＲＳパターンの例を示す。
【０１１８】
図１９の左側図は、特別なサブフレームにおいてＤｗＰＴＳが占有するＯＦＤＭシンボルの数が１１／１２であることを示し、上下は１つのＰＲＢをそれぞれ表し、ＣＳＩ−ＲＳパターンが隣接する２つの異なるＰＲＢに位置する８ポートＣＳＩ−ＲＳパターンからなり、ＣＳＩ−ＲＳポート０−７が第１のＰＲＢに位置し、ＣＳＩ−ＲＳポート８−１５が第２のＰＲＢに位置する。ＣＳＩ−ＲＳ密度が０．５  ＲＥ／ｐｏｒｔ／ＰＲＢである。多重化方式は、奇数ポートと偶数ポートの長さが２の符号分割多重化、及び同一のシンボルの周波数分割多重化が採用され、各ＯＦＤＭシンボルには、ＣＳＩ−ＲＳに使用される４つのリソースユニットがあるため、そのＣＳＩ−ＲＳ電力ゲインが６ｄＢである。この方式には、５組のＣＳＩ−ＲＳ配置があるので、多重化係数が５である。
【０１１９】
図１９の右側図は、特別なサブフレームにおいてＤｗＰＴＳが占有するＯＦＤＭシンボルの数が９／１０であることを示し、上下は１つのＰＲＢをそれぞれ表し、ＣＳＩ−ＲＳパターンが隣接する２つの異なるＰＲＢに位置する８ポートＣＳＩ−ＲＳパターンからなり、ポート｛０，１，４，５｝、ポート｛２，３，６，７｝、ポート｛８，９，１２，１３｝、及びポート｛１０，１１，１４，１５｝は、それぞれ、長さが４の符号分割多重化を採用し、つまり、４つのポートはそれらに対応する２つのリソースユニットを共有する。各ＯＦＤＭシンボルには、ＣＳＩ−ＲＳに使用される４つのリソースユニットがあるため、そのＣＳＩ−ＲＳ電力ゲインが３ｄＢである。この方式には、３組のＣＳＩ−ＲＳ配置があるので、多重化係数が３である。
【０１２０】
図２０は、ＴＤＤモードに対する特別なサブフレームＤｗＰＴＳにおける拡張のサイクリックプレフィックスでのＣＳＩ−ＲＳパターンの例を示す。当該パターンは、隣接する２つの異なるＰＲＢに位置する８ポートＣＳＩ−ＲＳパターンからなり、ＣＳＩ−ＲＳポート０−７が第１のＰＲＢに位置し、ＣＳＩ−ＲＳポート８−１５が第２のＰＲＢに位置する。ＣＳＩ−ＲＳ密度が０．５  ＲＥ／ｐｏｒｔ／ＰＲＢである。ＣＳＩ−ＲＳの多重化方式は、奇数ポートと偶数ポートの長さが２の符号分割多重化、及び同一のシンボルの周波数分割多重化が採用され、各ＯＦＤＭシンボルには、ＣＳＩ−ＲＳに使用される４つのＲＥがあるため、そのＣＳＩ−ＲＳ電力ゲインが６ｄＢである。この方式のＣＳＩ−ＲＳ多重化係数が４である。
【０１２１】
図１９と図２０における方式について、参照信号シーケンスが複素数値シンボルにマッピングされるマッピング式（２）のパラメータは次のように示す。
【０１２２】
【数２５】
2018534802.tif 000044
【０１２３】
シーケンスｗｐ（ｉ）の値は次の表１７によって得ることができる。
【０１２４】
【表１７】
2018534802.tif 000045
【０１２５】
なお、図１９の左側の方式について、ＣＳＩ−ＲＳ配置０は斜線で塗りつぶされたリソースユニットに対応するＣＳＩ−ＲＳ配置であり、ＣＳＩ−ＲＳ配置１はグレーで塗りつぶされたリソースユニットに対応するＣＳＩ−ＲＳ配置であり、ＣＳＩ−ＲＳ配置２は白色で塗りつぶされたリソースユニットに対応するＣＳＩ−ＲＳ配置であり、ＣＳＩ−ＲＳ配置３は黒ドットで塗りつぶされたリソースユニットに対応するＣＳＩ−ＲＳ配置であり、ＣＳＩ−ＲＳ配置４は水平線で塗りつぶされたリソースユニットに対応するＣＳＩ−ＲＳ配置である。図１９的右側の方式について、ＣＳＩ−ＲＳ配置５はグレーで塗りつぶされたリソースユニットに対応するＣＳＩ−ＲＳ  配置であり、ＣＳＩ−ＲＳ配置６は白色で塗りつぶされたリソースユニットに対応するＣＳＩ−ＲＳ配置であり、ＣＳＩ−ＲＳ配置７は黒ドットで塗りつぶされたリソースユニットに対応するＣＳＩ−ＲＳ配置である。ＣＳＩ−ＲＳの配置と（ｋ’、ｌ’）とのマッピング関係は次の表１８によって得ることができる。
【０１２６】
【表１８】
2018534802.tif 000046
【０１２７】
なお、図２０の方式について、ＣＳＩ−ＲＳ配置０が白色で塗りつぶされたリソースユニットに対応するＣＳＩ−ＲＳ配置であり、ＣＳＩ−ＲＳ配置１が黒ドットで塗りつぶされたリソースユニットに対応するＣＳＩ−ＲＳ配置であり、ＣＳＩ−ＲＳ配置２が黒色で塗りつぶされたリソースユニットに対応するＣＳＩ−ＲＳ配置であり、ＣＳＩ−ＲＳ配置３が斜線で塗りつぶされたリソースユニットに対応するＣＳＩ−ＲＳ配置である。ＣＳＩ−ＲＳの配置と（ｋ’、ｌ’）とのマッピング関係は次の表１９によって得ることができる。
【０１２８】
【表１９】
2018534802.tif 000047
【０１２９】
なお、図１に点線枠で示すように、装置１００は、ＲＲＣシグナリングにおけるＣＳＩ−ＲＳ−Ｃｏｎｆｉｇによってユーザー装置へＣＳＩ−ＲＳの関連パラメータを通知するように配置される通知ユニット１０３をさらに含んでもよい。例えば、関連パラメータは、アンテナポートの数、ＣＳＩ−ＲＳと物理リソースユニットとのマッピング関係、サブフレームオフセット量、ＣＳＩ−ＲＳ周期、ＣＳＩ−ＲＳ送信電力のうち少なくとも一つを含んでもよい。ここで、ＣＳＩ−ＲＳ−ＣｏｎｆｉｇはＣＳＩ−ＲＳを配置するための情報ユニットであり、アンテナポートの数が増加する場合に、例えば１６或３２アンテナポートの場合に、対応するポート数をサポートする変数を追加する必要がある。
【０１３０】
なお、以上で、ＣＳＩ−ＲＳを例に説明したが、本実施例の参照信号パターンは例えば復調参照信号（ＤＭＲＳ）などの他の参照信号にも適用可能である。
【０１３１】
＜第２の実施例＞
【０１３２】
図２１は、本出願の一実施例による無線通信のユーザー装置側で用いられる装置２００の構成ブロック図を示した。装置２００は、予め定められたアンテナポートと物理伝送リソースのリソースユニットとのマッピング関係からなる参照信号パターンが記憶される記憶ユニット２０１と、当該参照信号パターン及び基地局側からの参照信号の関連パラメータによって現在の参照信号に対応する物理リソースユニットを確定するように配置される確定ユニット２０２と、確定した物理リソースユニットにおける参照信号を測定して、基地局側へ測定した情報を報告するように配置される測定ユニット２０３とを含み、当該参照信号パターンは、アンテナポート間の周波数領域におけるリソースユニットに対する符号分割多重化を含む。
【０１３３】
ここで、記憶ユニット２０１は、異なるアンテナポートの数に対して対応する参照信号パターンを記憶することができ、これらの参照信号パターンは、第１の実施例に例示された参照信号パターンを含むが、これに限定されない。ユーザー装置は、例えば、ＲＲＣシグナリングを介して基地局から参照信号に関する関連パラメータを受信することができる。参照信号がＣＳＩ−ＲＳである場合に、関連パラメータは、アンテナポートの数、ＣＳＩ−ＲＳと物理リソースユニットとのマッピング関係、サブフレームオフセット量、ＣＳＩ−ＲＳ周期、ＣＳＩ−ＲＳ送信電力のうちの少なくとも一つを含んでもよい。確定ユニット２０２は、これらの参照信号の関連パラメータによって、例えばアンテナポートの数を確定し、記憶ユニット２０１に記憶された参照信号パターンによって現在の参照信号に対応する物理リソースユニットを確定する。確定した物理リソースユニットには現在の参照信号が載っているので、測定ユニット２０３はこれらのリソースユニットにおける信号を測定し、基地局側へ測定結果を報告することによって、基地局は例えば下りリンクチャネル状態情報を得ることができる。
【０１３４】
本実施例において、参照信号パターンはアンテナポート間の周波数領域におけるリソースユニットに対する符号分割多重化を含むことで、参照信号を送信するためのアンテナポートの数が増加する時にも電力ゲインが６ｄＢを超えないことを保持し、電力の無駄を減少することができる。
【０１３５】
＜第３の実施例＞
上記実施態様では、無線通信システムにおける基地局側とユーザー装置側の装置について説明する過程で、プロセス又は方法も開示している。以下、これらの方法の概要については既に説明した一部の事項を繰り返すことなく説明するが、注意すべきことは、これらの方法は無線通信システムにおける基地局側とユーザー装置側の装置の説明で開示されたが、必ずしもこれらの構成要素を使用するか、又はこれらの構成要素によって実行されるべきではない。例えば、無線通信システムにおける基地局側とユーザー装置側の装置の実施態様は、ハードウェア及び／又はファームウェアによって部分的又は完全に実現されてもよく、以下に説明する方法は、無線通信システムにおける基地局側とユーザー装置側の装置のハードウェア及び／又はファームウェアを使用することもできるが、コンピューター実行可能プログラムによって完全的に実現することもできる。
【０１３６】
図２２に、本出願の一実施例による無線通信システムにおける基地局側の方法のフローチャートを示したが、この方法は、参照信号シーケンスを生成し（Ｓ１１）、参照信号を送信するためのアンテナポートの数に応じて、アンテナポートと物理伝送リソースのリソースユニットとのマッピング関係からなる参照信号パターンを確定し（Ｓ１２）、参照信号パターンに基づいて、参照信号シーケンスをリソースユニットにマッピングして伝送に用いる（Ｓ１３）ことを含み、参照信号パターンは、アンテナポート間の周波数領域におけるリソースユニットに対する符号分割多重化を含む。
【０１３７】
一例では、ステップＳ１２において、第１のアンテナポート及び第２のアンテナポートに対して同一ＯＦＤＭシンボルに対応する少なくとも２つの共通リソースユニットを配置し、第１のアンテナポート及び第２のアンテナポートに、互いに直交する直交カバーコードをそれぞれ配置して、アンテナポート間の周波数領域におけるリソースユニットに対する符号分割多重化を実行する。
【０１３８】
一例では、ステップＳ１２において、同一のパリティーのポート番号を有する少なくとも２つのアンテナポートに対して、周波数領域において符号分割多重化するように配置する。なお、参照信号パターンは、アンテナポート間の時間領域におけるリソースユニットに対する符号分割多重化をさらに含んでもよい。
【０１３９】
なお、アンテナポートの数が少ない場合の符号長が短い符号分割多重化方式と互換性があるように、アンテナポートの数が多い場合に符号長が長い符号分割多重化方式を採用することができる。
【０１４０】
ステップＳ１２では、リソースマッピングの柔軟性を向上させてアイドルリソースを十分に利用して参照信号を送信するために、第１のアンテナポートに対して第１の数のＯＦＤＭシンボルを跨ぐ参照信号パターンを確定し、第２のアンテナポートに対して第２の数のＯＦＤＭシンボルを跨ぐ参照信号パターンを確定して、第１及び第２のアンテナポートをそれぞれ伝送することができる。
【０１４１】
参照信号は、一例として、チャネル状態情報参照信号（ＣＳＩ−ＲＳ）である。ステップＳ１２では、ＣＳＩ−ＲＳを送信するためのアンテナポートの数が８より大きい場合に、アンテナポート間の周波数領域におけるリソースユニットに対する符号分割多重化を含む参照信号パターンを確定してリソースマッピングに用いることができる。
【０１４２】
例えば、チャネル状態情報参照信号パターンは、一つの物理リソースブロックに基づくパターン、隣接する２つ以上のサブフレームに基づくパターン、及び隣接する２つ以上の物理リソースブロックに基づくパターンのうち少なくとも一つを含んでもよい。
【０１４３】
なお、符号分割多重化の符号長さは、チャネル状態情報参照信号パターンが基づくサブフレームの数に応じて変更できる。
【０１４４】
例として、アンテナポート数が１６である場合に、チャネル状態情報参照信号パターンが基づくサブフレームの数が１である時に、符号分割多重化の符号長さが４であり、チャネル状態情報参照信号パターンが基づくサブフレームの数が２である時に、符号分割多重化的符号長さが２である。
【０１４５】
なお、アンテナポート数が３２である場合に、ＣＳＩ−ＲＳパターンは、符号長さが４である符号分割多重化チャネル状態情報参照信号パターンの２つの隣接するサブフレームにおける拡張であってもよい。
【０１４６】
異なるセルのチャネル状態情報参照信号パターンにおいて、セル間の参照信号干渉を低減するように、同一のポートに対応する物理リソースユニットは互いに離れるように設置することができる。
【０１４７】
なお、無線通信がＴＤＤモードを採用する場合に、特別なサブフレームＤｗＰＴＳにおいて、隣接する２つの物理リソースブロックに基づくチャネル状態情報参照信号を送信してもよい。
【０１４８】
図２２に点線枠で示すように、上記方法は、ＲＲＣシグナリングにおけるＣＳＩ−ＲＳ−Ｃｏｎｆｉｇによってユーザー装置へチャネル状態情報参照信号の関連パラメータを通知するステップＳ１４をさらに含んでもよい。
【０１４９】
例えば、関連パラメータは、アンテナポートの数、チャネル状態情報参照信号と物理リソースユニットとのマッピング関係、サブフレームオフセット量、チャネル状態情報参照信号周期、チャネル状態情報参照信号送信電力のうち少なくとも一つを含む。
【０１５０】
相応的に、無線通信システムにおけるユーザー装置側で用いられる方法をさらに提供しており、予め定められたアンテナポートと物理伝送リソースのリソースユニットとのマッピング関係からなる記憶された参照信号パターン及び基地局側からの参照信号の関連パラメータに基づいて、現在の参照信号に対応する物理リソースユニットを確定し、確定した物理リソースユニットにおける参照信号を測定して、基地局側へ測定した情報を報告することを含み、当該参照信号パターンは、アンテナポート間の周波数領域におけるリソースユニットに対する符号分割多重化を含む。
【０１５１】
なお、上記の各方法は、組み合わせて用いてもよいし、単独で用いてもよく、その詳細は第１および第２の実施例で詳細に説明したので、ここでは繰り返さない。
【０１５２】
また、以上の説明では、基地局とユーザー装置が含まれる通信システムをさらに提供しており、基地局は装置１００を含み、ユーザー装置は装置２００を含む。
【０１５３】
本開示の技術は各種の製品に適用することができる。例えば、基地局例えばマクロｅＮＢや小ｅＮＢなどの任意のタイプの進化ノードＢ（ｅＮＢ）として実現することができる。小ｅＮＢは、例えばピコｅＮＢ、マイクロｅＮＢと家庭（フェムト）ｅＮＢなどのマクロセルより小さいセルをカバーできるｅＮＢであってもよい。その代わりに、基地局は、例えばＮｏｄｅＢと基地局トランシーバ（ＢＴＳ）のような任意の他のタイプの基地局として実現してもよい。基地局は、無線通信を制御するように配置される主体（基地局装置とも呼ばれる）と、主体と異なる箇所に設けられる１つ又は複数のリモート無線ヘッド（ＲＲＨ）とを含んでもよい。また、様々なタイプの端末は、基地局機能を一時的又は半永久的に実行することによって、基地局として動作できる。
【０１５４】
例えば、ユーザー装置は、携帯端末（例えばスマートフォン、タブレットパーソナルコンピューター（ＰＣ）、ノートＰＣ、携帯ゲーム端末、ポータブル／ドングルモバイルルーターとデジタル撮影装置など）又は車載端末（カーナビゲーション装置など）として実現することができる。ユーザー装置はマシンツーマシン（Ｍ２Ｍ）通信を実行する端末（マシンタイプ通信（ＭＴＣ）端末とも呼ばれる）として実現することもできる。なお、ユーザー装置は、上記端末の中の各端末に搭載された無線通信モジュール（例えば単一チップを含む集積回路モジュール）であってもよい
【０１５５】
［基地局についての適用例］
【０１５６】
（第１の適用例）
【０１５７】
図２３は本開示の技術を適用できるｅＮＢの模式的配置の第１の例を示すブロック図である。ｅＮＢ８００は１つ又は複数のアンテナ８１０及び基地局装置８２０を含む。基地局装置８２０と各アンテナ８１０はＲＦケーブルを介して接続できる。
【０１５８】
アンテナ８１０のそれぞれは単一又は複数のアンテナ素子を含み（例えば多入力多出力（ＭＩＭＯ）アンテナに含まれる複数アンテナ素子）、基地局装置８２０の無線信号の送受信に使用される。図２３に示すように、ｅＮＢ８００は複数のアンテナ８１０を含んでもよい。例えば、複数のアンテナ８１０はｅＮＢ８００に使用される複数の周波数領域に対応できる。図２３に、ｅＮＢ８００が複数のアンテナ８１０を含む例を示したが、ｅＮＢ８００が単一のアンテナ８１０を含んでもよい。
【０１５９】
基地局装置８２０は、コントローラ８２１、メモリ８２２、ネットワークインターフェース８２３及び無線通信インターフェース８２５を含むことができる。
【０１６０】
コントローラ８２１は例えばＣＰＵ又はＤＳＰであり、かつ、基地局装置８２０の上位層の各種機能を動作させる。例えば、コントローラ８２１は無線通信インターフェース８２５で処理された信号におけるデータに基づいてデータパケットを生成し、ネットワークインターフェース８２３を介して生成したパケットを伝送する。コントローラ８２１は複数のベースバンドプロセッサからのデータをバンドルして、バンドルパケットを生成し、生成されたバンドルパケットを伝送することができる。コントローラ８２１は以下のような制御を実行する論理機能を有してもよく、この制御は例えば、無線リソース制御、無線ベアラ制御、移動管理、受付制御、スケジューリングなどである。この制御は近くのｅＮＢ又はコアネットワークノードと結合して実行することができる。メモリ８２２はＲＡＭとＲＯＭを含み、コントローラ８２１が実行するプログラムや各種制御データ（例えば、端末リスト、送信パワーデータ及びスケジューリングデータ）が記憶される。
【０１６１】
ネットワークインターフェース８２３は基地局装置８２０をコアネットワーク８２４の通信インターフェースに接続するためのものである。コントローラ８２１はネットワークインターフェース８２３を介してコアネットワークノード又は別のｅＮＢと通信することができる。この場合、ｅＮＢ８００とコアネットワークノード又は他のｅＮＢとは論理インターフェース（例えばＳ１インターフェースとＸ２インターフェース）によって互いに接続される。ネットワークインターフェース８２３は有線通信インターフェース又は無線バックホール回線用の無線通信インターフェースであってもよい。ネットワークインターフェース８２３が無線通信インターフェースであれば、無線通信インターフェース８２５によって使用される周波数領域と比べると、ネットワークインターフェース８２３はより高い周波数領域を無線通信に使用することができる。
【０１６２】
無線通信インターフェース８２５は任意のセルラー通信方式（例えば、Ｌｏｎｇ  Ｔｅｒｍ  Ｅｖｏｌｕｔｉｏｎ（ＬＴＥ）やＬＴＥ−Ａｄｖａｎｃｅｄ）をサポートし、アンテナ８１０を介してｅＮＢ８００に位置するセルにおける端末までの無線接続を提供する。無線通信インターフェース８２５は通常、例えばベースバンド（ＢＢ）プロセッサ８２６とＲＦ回路８２７を含むことができる。ＢＢプロセッサ８２６は例えば、コーディング／デコード、変調／復調、多重化／多重化解除を実行するとともに、レイヤー（例えばＬ１、メディアアクセス制御（ＭＡＣ）、無線リンク制御（ＲＬＣ）、パケットデータアグリゲーションプロトコル（ＰＤＣＰ））の各タイプの信号処理を実行することができる。コントローラ８２１の代わりに、ＢＢプロセッサ８２６は上記した論理機能の一部又は全部を有してもよい。ＢＢプロセッサ８２６は通信制御プログラムが記憶されるメモリであってもよく、或いは、プログラムを実行するように配置されるプロセッサと関連する回路を含むモジュールであってもよい。プログラムの更新はＢＢプロセッサ８２６の機能を変更させることができる。このモジュールは基地局装置８２０のスロットに挿入されるカード又はブレッドであってもよい。代わりに、このモジュールはカード又はブレッドに搭載されるチップであってもよい。同時に、ＲＦ回路８２７は、例えばミキサ、フィルタ、増幅器を含んで、アンテナ８１０を介して無線信号を送受信してもよい。
【０１６３】
図２３に示すように、無線通信インターフェース８２５は複数のＢＢプロセッサ８２６を含んでもよい。例えば、複数のＢＢプロセッサ８２６はｅＮＢ８００に使用される複数の周波数領域に対応できる。図２３に示すように、無線通信インターフェース８２５は複数のＲＦ回路８２７を含んでもよい。例えば、複数のＲＦ回路８２７は複数のアンテナ素子と互換性があり得る。図２３には、無線通信インターフェース８２５が複数のＢＢプロセッサ８２６と複数のＲＦ回路８２７を含む例を示したが、無線通信インターフェース８２５は単一のＢＢプロセッサ８２６又は単一のＲＦ回路８２７を含んでもよい。
【０１６４】
（第２の適用例）
【０１６５】
図２４は本開示の技術を適用できるｅＮＢの模式的配置の第２の例を示すブロック図である。ｅＮＢ８３０は１つ又は複数のアンテナ８４０と、基地局装置８５０と、ＲＲＨ８６０とを含む。ＲＲＨ８６０と各アンテナ８４０はＲＦケーブルを介して互いに接続することができる。基地局装置８５０とＲＲＨ８６０は光ファイバケーブルのような高速回線を介して互いに接続することができる。
【０１６６】
アンテナ８４０のそれぞれは単一又は複数のアンテナ素子（例えば、ＭＩＭＯアンテナに含まれた複数のアンテナ素子）を含んで、ＲＲＨ８６０の無線信号の送受信に使用される。図２４に示すように、ｅＮＢ８３０は複数のアンテナ８４０を含んでもよい。例えば、複数のアンテナ８４０はｅＮＢ８３０によって使用される複数の周波数領域に対応できる。図２４にｅＮＢ８３０に複数のアンテナ８４０が含まれる例を示したが、ｅＮＢ８３０は単一のアンテナ８４０を含んでもよい。
【０１６７】
基地局装置８５０は、コントローラ８５１と、メモリ８５２と、ネットワークインターフェース８５３と、無線通信インターフェース８５５と、接続インターフェース８５７とを含む。コントローラ８５１、メモリ８５２、ネットワークインターフェース８５３は図２３を参照して説明したコントローラ８２１、メモリ８２２、ネットワークインターフェース８２３と同様である。
【０１６８】
無線通信インターフェース８５５は任意のセルラー通信方式（例えばＬＴＥとＬＴＥ−Ａｄｖａｎｃｅｄ）をサポートし、ＲＲＨ８６０とアンテナ８４０を介してＲＲＨ８６０に対応するセクタに位置する端末までの無線通信を提供する。無線通信インターフェース８５５は通常、例えばＢＢプロセッサ８５６を含んでもよい。ＢＢプロセッサ８５６が接続インターフェース８５７を介してＲＲＨ８６０のＲＦ回路８６４に接続される以外、ＢＢプロセッサ８５６と図２３を参照して説明したＢＢプロセッサ８２６は同様である。図２４に示すように、無線通信インターフェース８５５は複数のＢＢプロセッサ８５６を含んでもよい。例えば、複数ＢＢプロセッサ８５６はｅＮＢ８３０に使用される複数の周波数領域に対応できる。図２４に、無線通信インターフェース８５５に複数のＢＢプロセッサ８５６が含まれる例を示したが、無線通信インターフェース８５５は単一のＢＢプロセッサ８５６を含んでもよい。
【０１６９】
接続インターフェース８５７は基地局装置８５０（無線通信インターフェース８５５）をＲＲＨ８６０に接続するためのインターフェースである。接続インターフェース８５７は基地局装置８５０（無線通信インターフェース８５５）をＲＲＨ８６０に接続するための上記した高速回線における通信の通信モジュールであってもよい。
【０１７０】
ＲＲＨ８６０は、接続インターフェース８６１と無線通信インターフェース８６３を含む。
【０１７１】
接続インターフェース８６１はＲＲＨ８６０（無線通信インターフェース８６３）を基地局装置８５０に接続するためのインターフェースであってもよい。接続インターフェース８６１は上記した高速回線における通信用の通信モジュールであってもよい。
【０１７２】
無線通信インターフェース８６３はアンテナ８４０を介して無線信号を送受信する。無線通信インターフェース８６３は通常、例えばＲＦ回路８６４を含んでもよい。ＲＦ回路８６４は例えばミキサ、フィルタ、増幅器を含んで、アンテナ８４０を介して無線信号を送受信してもよい。図２４に示すように、無線通信インターフェース８６３は複数のＲＦ回路８６４を含んでもよい。例えば、複数のＲＦ回路８６４は複数のアンテナ素子をサポートすることができる。図２４に、無線通信インターフェース８６３に複数のＲＦ回路８６４が含まれる例を示したが、無線通信インターフェース８６３は単一のＲＦ回路８６４を含んでもよい。
【０１７３】
図２３と図２４に示すようなｅＮＢ８００とｅＮＢ８３０において、図１により説明された通知ユニット１０３は無線通信インターフェース８２５及び無線通信インターフェース８５５及び／又は無線通信インターフェース８６３によって実現することができる。機能の少なくとも一部はコントローラ８２１とコントローラ８５１によって実現することもできる。例えば、コントローラ８２１とコントローラ８５１及び／又はベースバンドプロセッサ８２６、８５６はシーケンス生成ユニット１０１、リソースマッピングユニット１０２３の機能を実行することによって、参照信号の生成を実行することができる。
【０１７４】
［ユーザー装置についての適用例］
【０１７５】
（第１の適用例）
【０１７６】
図２５は本開示の技術を適用できるスマートフォン９００の概略構成の例を示すブロック図である。スマートフォン９００はプロセッサ９０１、メモリ９０２、記憶装置９０３、外部接続インターフェース９０４、撮影装置９０６、センサ９０７、マイク９０８、入力装置９０９、表示装置９１０、スピーカ９１１、無線通信インターフェース９１２、１つ又は複数のアンテナスイッチ９１５、１つ又は複数のアンテナ９１６、バス９１７、電池９１８及び補助コントローラ９１９を含む。
【０１７７】
プロセッサ９０１は例えばＣＰＵ又はシステムオンチップ（ＳｏＣ）であり、スマートフォン９００のアプリケーション層と他の層の機能を制御することができる。メモリ９０２はＲＡＭとＲＯＭを含み、データとプロセッサ９０１によって実行されるプログラムが記憶される。記憶装置９０３は例えば半導体メモリとハードディスクのような記憶媒体を含むことができる。外部接続インターフェース９０４は外部装置（例えばメモリカードとユニバーサルシリアルバス（ＵＳＢ）装置）をスマートフォン９００に接続するためのインターフェースである。
【０１７８】
撮影装置９０６はイメージセンサー（例えば電荷結合デバイス（ＣＣＤ）と相補型金属酸化物半導体（ＣＭＯＳ））を含み、キャプチャ画像を生成する。センサ９０７は例えば測定センサ、ジャイロセンサ、地磁気センサ及び加速度センサのような１組のセンサを含んでもよい。マイク９０８はスマートフォン９００に入力された音をオーディオ信号に変換する。入力装置９０９は例えば表示装置９１０のスクリーン上のタッチを検出するように構成されるタッチセンサー、キーパッド、キーボード、ボタン又はスイッチを含み、ユーザーから入力された動作又は情報を受信する。表示装置９１０はスクリーン（例えば液晶ディスプレイ（ＬＣＤ）と有機発光ダイオード（ＯＬＥＤ）ディスプレイ）を含み、スマートフォン９００の出力画像を表示する。スピーカ９１１はスマートフォン９００から出力したオーディオ信号を音に変換する。
【０１７９】
無線通信インターフェース９１２は任意のセルラー通信方式（例えば、ＬＴＥとＬＴＥ−Ａｄｖａｎｃｅｄ）をサポートし、無線通信を実行する。無線通信インターフェース９１２は通常、例えばＢＢプロセッサ９１３とＲＦ回路９１４を含むことができる。ＢＢプロセッサ９１３は例えば、コーディング／デコード、変調／復調、多重化／多重化解除を実行するとともに、無線通信のための各種のタイプの信号処理を実行することができる。同時に、ＲＦ回路９１４は例えばミキサ、フィルタ、増幅器を含んで、アンテナ９１６を介して無線信号を送受信することができる。無線通信インターフェース９１２はその上にＢＢプロセッサ９１３とＲＦ回路９１４が集積化される一つのチップモジュールであってもよい。図２５に示すように、無線通信インターフェース９１２は複数のＢＢプロセッサ９１３と複数のＲＦ回路９１４を含んでもよい。図２５に、無線通信インターフェース９１２に複数のＢＢプロセッサ９１３と複数のＲＦ回路９１４が含まれる例を示したが、無線通信インターフェース９１２は単一のＢＢプロセッサ９１３又は単一のＲＦ回路９１４を含んでもよい。
【０１８０】
なお、セルラー通信方式の以外、無線通信インターフェース９１２は、例えば短距離無線通信方式、近接通信方式や無線ローカルネットワーク（ＬＡＮ）方式などの別タイプの無線通信方式をサポートすることができる。この場合、無線通信インターフェース９１２は各種の無線通信方式に対するＢＢプロセッサ９１３とＲＦ回路９１４を含んでもよい。
【０１８１】
アンテナスイッチ９１５のそれぞれは無線通信インターフェース９１２に含まれる複数の回路（例えば異なる無線通信方式に使用される回路）間でアンテナ９１６の接続先を切り替える。
【０１８２】
アンテナ９１６のそれぞれは単一又は複数のアンテナ素子（例えばＭＩＭＯアンテナに含まれる複数のアンテナ素子）を含んで、無線通信インターフェース９１２の無線信号の送受信に使用される。図２５に示すように、スマートフォン９００は複数のアンテナ９１６を含んでもよい。図２５に、スマートフォン９００に複数のアンテナ９１６が含まれる例を示したが、スマートフォン９００は単一のアンテナ９１６を含んでもよい。
【０１８３】
なお、スマートフォン９００は各種の無線通信方式に対するアンテナ９１６を含んでもよい。この場合に、アンテナスイッチ９１５はスマートフォン９００の配置から省略されてもよい。
【０１８４】
バス９１７はプロセッサ９０１、メモリ９０２、記憶装置９０３、外部接続インターフェース９０４、撮像装置９０６、センサ９０７、マイク９０８、入力装置９０９、表示装置９１０、スピーカ９１１、無線通信インターフェース９１２及び補助コントローラ９１９を互いに接続する。電池９１８は給電線によって図２５に示すスマートフォン９００の各ブロックに電力を提供し、給電線は図面において部分的に点線によって表される。補助コントローラ９１９は例えば睡眠モードでスマートフォン９００の最少の必要な機能を操作する。
【０１８５】
図２５に示すスマートフォン９００では、例えば、プロセッサ９０１又は補助コントローラ９１９によって、確定ユニット２０２、測定ユニット２０３の機能を実行することができ、メモリ９０２によって記憶ユニット２０１の機能を実行することによって、参照信号の測定を実行することができる。なお、確定ユニット２０２と測定ユニット２０３の部分的機能は無線通信インターフェース９１２によって実現することもできる。
【０１８６】
（第２の適用例）
【０１８７】
図２６は本開示の技術を適用できるカーナビゲーション装置９２０の模式的配置の例を示すブロック図である。カーナビゲーション装置９２０はプロセッサ９２１、メモリ９２２、全地球位置決めシステム（ＧＰＳ）モジュール９２４、センサ９２５、データインターフェース９２６、コンテンツプレーヤー９２７、記憶媒体インターフェース９２８、入力装置９２９、表示装置９３０、スピーカ９３１、無線通信インターフェース９３３、１つ又は複数のアンテナスイッチ９３６、１つ又は複数のアンテナ９３７及び電池９３８を含む。
【０１８８】
プロセッサ９２１は例えばＣＰＵ又はＳｏＣであり、カーナビゲーション装置９２０のナビゲーション機能と他の機能を制御することができる。メモリ９２２はＲＡＭとＲＯＭを含み、データとプロセッサ９２１によって実行されたプログラムを記憶する。
【０１８９】
ＧＰＳモジュール９２４はＧＰＳ衛星から受信したＧＰＳ信号を使用してカーナビゲーション装置９２０の位置（例えば、緯度、経度、高度）を測定する。センサ９２５は例えばジャイロセンサ、地磁気センサ及び気圧センサなどの１組のセンサを含んでもよい。データインターフェース９２６は図示しない端末を介して例えば車載ネットワーク９４１に接続し、車両が生成したデータ（例えば、車速データ）を取得する。
【０１９０】
コンテンツプレーヤー９２７は記憶媒介（例えば、ＣＤとＤＶＤ）に記憶されたコンテンツを再生して、この記憶媒介は記憶媒介インターフェース９２８に挿入される。入力装置９２９は例えば表示装置９３０のスクリーン上のタッチを検出するように配置されるタッチセンサー、ボタン又はスイッチを含み、ユーザーから入力された動作又は情報を受信する。表示装置９３０は例えばＬＣＤやＯＬＥＤディスプレイのスクリーンを含み、ナビゲーション機能の画像又は再生されたコンテンツを表示する。スピーカ９３１はナビゲーション機能の音又は再生されたコンテンツを出力する。
【０１９１】
無線通信インターフェース９３３は任意のセルラー通信方式（例えば、ＬＴＥとＬＴＥ−Ａｄｖａｎｃｅｄ）をサポートし、無線通信を実行することができる。無線通信インターフェース９３３は通常、例えばＢＢプロセッサ９３４とＲＦ回路９３５を含むことができる。ＢＢプロセッサ９３４は、例えばコーディング／デコード、変調／復調、及び多重化／多重化解除を実行するとともに、無線通信に使用される各種のタイプの信号処理を実行することができる。同時に、ＲＦ回路９３５は例えばミキサ、フィルタ、増幅器を含んで、アンテナ９３７を介して無線信号を送受信することができる。無線通信インターフェース９３３はその上にＢＢプロセッサ９３４とＲＦ回路９３５が集積化される一つのチップモジュールであってもよい。図２６に示すように、無線通信インターフェース９３３は複数のＢＢプロセッサ９３４と複数のＲＦ回路９３５を含んでもよい。図２６に、無線通信インターフェース９３３に複数のＢＢプロセッサ９３４と複数のＲＦ回路９３５が含まれた例を示したが、無線通信インターフェース９３３は単一のＢＢプロセッサ９３４又は単一のＲＦ回路９３５を含んでもよい。
【０１９２】
なお、セルラー通信方式の以外、無線通信インターフェース９３３は、例えば短距離無線通信方式、近接通信方式と無線ＬＡＮ方式などの別タイプの無線通信方式をサポートすることができる。この場合、各種の無線通信方式に対して、無線通信インターフェース９３３はＢＢプロセッサ９３４とＲＦ回路９３５を含んでもよい。
【０１９３】
アンテナスイッチ９３６のそれぞれは無線通信インターフェース９３３に含まれる複数の回路（例えば異なる無線通信方式に使用される回路）間でアンテナ９３７の接続先を切り替える。
【０１９４】
アンテナ９３７のそれぞれは単一又は複数のアンテナ素子（例えばＭＩＭＯアンテナに含まれる複数のアンテナ素子）を含み、無線通信インターフェース９３３の無線信号の送受信に使用される。図２６に示すように、カーナビゲーション装置９２０は複数のアンテナ９３７を含んでもよい。図２６に、カーナビゲーション装置９２０に複数のアンテナ９３７が含まれる例を示したが、カーナビゲーション装置９２０は単一のアンテナ９３７を含んでもよい。
【０１９５】
なお、カーナビゲーション装置９２０は各種の無線通信方式に対するアンテナ９３７を含んでもよい。この場合、アンテナスイッチ９３６はカーナビゲーション装置９２０の配置から省略されてもよい。
【０１９６】
電池９３８は給電線によって図２６に示すカーナビゲーション装置９２０の各ブロックに電力を提供し、給電線は図面において部分的に点線によって表される。電池９３８は車両から提供した電力を蓄積する。
【０１９７】
図２６に示すカーナビゲーション装置９２０では、例えば、プロセッサ９２１によって確定ユニット２０２、測定ユニット２０３の機能を実行し、メモリ９２２によって記憶ユニット２０１の機能を実行することによって参照信号の測定を実行することができる。なお、確定ユニット２０２と測定ユニット２０３の部分的機能は、無線通信インターフェース９３３によって実現することもできる。
【０１９８】
本開示の技術はカーナビゲーション装置９２０、車載ネットワーク９４１及び車両モジュール９４２のうち１つ又は複数のブロックが含まれた車載システム（又は車両）９４０として実現することができる。車両モジュール９４２は車両データ（例えば車速、エンジン速度、故障情報）を生成して、生成されたデータを車載ネットワーク９４１に出力する。
【０１９９】
本発明の基本的な原理は、具体的実施例を参照して記述されている。しかしながら、当業者にとって、本発明の方法および装置のすべてまたは任意のステップや部材は、任意のコンピューティングデバイス（プロセッサ、記憶媒体などを含む）またはコンピューティングデバイスのネットワークにおいて、ハードウェア、ファームウェア、ソフトウェア、またはそれらの組み合わせの形態で実現でき、これは、当業者が本発明の説明を読んだ場合に、基本的な回路設計知識または基本的なプログラミング技能を使用して実現され得る。
【０２００】
当業者が理解すべきことは、上記した装置における例えば、シーケンス生成ユニット、リソースマッピングユニット、記憶ユニット、確定ユニット、測定ユニット等は１つ以上のプロセッサによって実現でき、例えば通知ユニットなどはアンテナ、フィルタ、モデム、コーデックなどの回路コンポーネントによって実現できる。
【０２０１】
そのため、本発明は、参照信号シーケンスを生成し、参照信号を送信するためのアンテナポートの数に応じて、アンテナポートと物理伝送リソースのリソースユニットとのマッピング関係からなる参照信号パターンを確定し、前記参照信号パターンに基づいて前記参照信号シーケンスをリソースユニットにマッピングして伝送に用い、前記参照信号パターンはアンテナポート間の周波数領域におけるリソースユニットに対する符号分割多重化を含むように配置される回路を含む電子装置（１）をさらに提供する。
【０２０２】
本発明は、予め定められたアンテナポートと物理伝送リソースのリソースユニットとのマッピング関係からなる記憶された参照信号パターンと基地局側からの参照信号の関連パラメータによって、現在の参照信号に対応する物理リソースユニットを確定し、確定した物理リソースユニットにおける参照信号を測定して、測定した情報を基地局側へ報告し、前記参照信号パターンはアンテナポート間の周波数領域におけるリソースユニットに対する符号分割多重化を含むように配置される回路を含む電子装置（２）をさらに提供する。
【０２０３】
そして、本発明は機械読み取り可能命令コードが記憶されたプログラム製品をさらに提供する。前記命令コードが機械によって読み取られ実行される時に、前記本発明実施例による方法を実行することができる。
【０２０４】
相応的に、前記機械読み取り可能命令コードが記憶されたプログラム製品をロードする記憶媒体も本発明の開示に含まれる。前記記憶媒体は、フロッピーディスク、光ディスク、光磁気ディスク、メモリカード、メモリスティックなどを含むが、これらに限定されない。
【０２０５】
ソフトウェアまたはファームウェアによって本発明を実現する場合に、記憶媒体またはネットワークから専用のハードウェア構成を有するコンピューター（例えば、図２７に示す汎用コンピューター２７００）へ当該ソフトウェアを構成するプログラムをインストールして、当該コンピューターは各種のプログラムがインストールされている場合に、各種の機能などを実行することができる。
【０２０６】
図２７において、中央処理装置（ＣＰＵ）２７０１は、読み取り専用メモリ（ＲＯＭ）２７０２に記憶されたプログラムまたは記憶部分２７０８からランダムアクセスメモリ（ＲＡＭ）２７０３にロードされたプログラムによって各種の処理を実行する。ＲＡＭ２７０３に、必要に応じて、ＣＰＵが各種の処理などを実行する時に必要なデータも記憶される。ＣＰＵ２７０１とＲＯＭ２７０２とＲＡＭ２７０３はバス２７０４を介して相互に接続される。入力／出力インターフェース２７０５もバス２７０４に接続される。
【０２０７】
入力部分２７０６（キーボード、マウスなどを含む）、出力部分２７０７（例えば陰極線管（ＣＲＴ）、液晶ディスプレイ（ＬＣＤ）などのディスプレイとスピーカなどを含む）、記憶部分２７０８（ハードウェアなどを含む）、通信部分２７０９（例えばＬＡＮカードやモデムなどのネットワークインターフェースカードを含む）が入力／出力インターフェース２７０５に接続される。通信部分２７０９は例えばインターネットなどのネットワークを介して通信処理を実行する。必要に応じて、ドライバー２７１０も入力／出力インターフェース２７０５に接続されてもよい。例えば磁気ディスク、光ディスク、光磁気ディスク、半導体メモリなどのリムーバブルメディア２７１１は、必要に応じてドライバー２７１０に装着されて、その中から読み出されたコンピュータプログラムが必要に応じて記憶部分２７０８にインストールされるようにする。
【０２０８】
ソフトウェアによって上記した一連の処理を実現する場合に、例えばインターネットなどのネットワーク或いは例えばリムーバブルメディア２７１１などの記憶媒体から、ソフトウェアを構成するプログラムをインストールする。
【０２０９】
当業者が理解すべきことは、このような記憶媒体が図２７に示すような、プログラムが記憶され、装置とは別途配分してユーザーにプログラムを提供するリムーバブルメディア２７１１に限定されない。リムーバブルメディア２７１１の例は、磁気ディスク（フロッピーディスク（登録商標）を含む）、光ディスク（光ディスク読み取り専用メモリ（ＣＤ−ＲＯＭ）とデジタル多用途ディスク（ＤＶＤ）を含む）、光磁気ディスク（ミニディスク（ＭＤ）（登録商標）を含む）、半導体メモリを含む。或いは、記憶媒体は、ＲＯＭ２７０２、記憶部分２７０８に含まれるハードウェアなどであってもよく、その中にプログラムが記憶され、且つこれらを含む装置と一緒にユーザーに配布する。
【０２１０】
なお、本発明の装置、方法、及びシステムでは、各構成要素又は各ステップが分解及び／又は再結合することができる。これらの分解及び／又は再結合は本発明の均等の方式とみなすべきである。さらに、上記した一連の処理を実行するステップは当然、説明の順序に従って時系列に実行することができるが、必ずしも時系列に実行される必要はない。いくつかのステップは並行的又は互いに独立に実行されてもよい。
【０２１１】
最後、説明すべきことは、用語「包括」、「含む」又はそのいかなる他の変形は、非排他的な包含をカバーすることを意図し、一連の要素を含むプロセス、方法、物品、又はデバイスは、それらの要素を含むだけではなく、明確に記載されていない他の要素をさらに含み、或いは、このようなプロセス、方法、物品、又はデバイスに固有する要素をさらに含む。より多い制限が存在しない場合、「．．．を一つ含む」という文によって限定される要素は、前記要素を含むプロセス、方法、物品又はデバイスに他の同じ要素がさらに含まれることを排除しない。
【０２１２】
以上、図面を結合して本開示の実施例について詳細に説明したが、上記した実施形態は本発明を説明するためのものであり、本発明を限定するものではないと理解すべきである。当業者にとって、本発明の精神および範囲から逸脱することがなく、上記した実施形態に対して、様々な修正及び変更が可能である。そのため、本発明の範囲は添付した特許請求の範囲及びその等価物のみによって限定される。
【図１】
2018534802.tif 000048
【図２】
2018534802.tif 000049
【図３】
2018534802.tif 000050
【図４】
2018534802.tif 000051
【図５】
2018534802.tif 000052
【図６】
2018534802.tif 000053
【図７】
2018534802.tif 000054
【図８】
2018534802.tif 000055
【図９】
2018534802.tif 000056
【図１０】
2018534802.tif 000057
【図１１】
2018534802.tif 000058
【図１２】
2018534802.tif 000059
【図１３】
2018534802.tif 000060
【図１４】
2018534802.tif 000061
【図１５】
2018534802.tif 000062
【図１６】
2018534802.tif 000063
【図１７】
2018534802.tif 000064
【図１８】
2018534802.tif 000065
【図１９】
2018534802.tif 000066
【図２０】
2018534802.tif 000067
【図２１】
2018534802.tif 000068
【図２２】
2018534802.tif 000069
【図２３】
2018534802.tif 000070
【図２４】
2018534802.tif 000071
【図２５】
2018534802.tif 000072
【図２６】
2018534802.tif 000073
【図２７】
2018534802.tif 000074
【国際調査報告】
2018534802.tif 000075
2018534802.tif 000076
2018534802.tif 000077
2018534802.tif 000078